(57)【要約】  本発明は表示画像の調整方法及びその装置、プログラム及び記録媒体に関する。前記方法は、ディスプレースクリーンの前に位置するユーザとディスプレースクリーンとの距離をモニタリングするステップと、前記ユーザとディスプレースクリーンとの距離が所定の閾値より小さいとモニタリングした場合、前記距離の大きさに基づいて前記ディスプレースクリーンにおける調整済みの画像のサイズを特定する、又は、ユーザにより予め設定されたパラメータに応じて、前記ディスプレースクリーン上的調整済みの画像のサイズを特定するステップと、前記調整済みのサイズに応じて、ディスプレースクリーンにおいて前記画像を表示するステップと、を含む。ユーザの視聴距離の変化に応じて、表示された画像のサイズを適応的に調整する本発明に係る方案は、ユーザの目の疲労を回避してユーザの視力を保護すると共に視聴体験を向上することができる。【選択図】図１
2018502531.tif 000002
【特許請求の範囲】
【請求項１】
ディスプレースクリーンの前に位置するユーザとディスプレースクリーンとの距離をモニタリングするステップと、
前記ユーザとディスプレースクリーンとの距離が所定の閾値より小さいとモニタリングした場合、前記距離の大きさに基づいて前記ディスプレースクリーンにおける調整済みの画像のサイズを特定する、又は、ユーザにより予め設定されたパラメータに応じて、前記ディスプレースクリーン上的調整済みの画像のサイズを特定するステップと、
前記調整済みのサイズに応じて、ディスプレースクリーンにおいて前記画像を表示するステップと、を含む
ことを特徴とする表示画像の調整方法。
【請求項２】
ユーザとディスプレースクリーンとの距離モニタリングするステップは、
前記ユーザを撮影して、撮像された画像に基づいて前記ユーザとディスプレースクリーンとの距離を特定する方式と、
前記ユーザから発信された無線信号をモニタリングして、前記無線信号の強度に基づき、前記ユーザとディスプレースクリーンとの距離を特定する方式と、のうちの一つ又は複数を含む
ことを特徴とする請求項１に記載の方法。
【請求項３】
前記距離の大きさに基づいて前記ディスプレースクリーンにおける調整済みの画像のサイズを特定するステップは、
Ｓ＝ｎ＊Ｈで前記調整済みの画像の高さを算出するステップと、
（ここで、前記Ｓはユーザとディスプレースクリーンとの距離であり、前記Ｈは調整済みの画像の高さであり、前記ｎの範囲は［３．５，５］である）
前記画像の所定のアスペクト比と前記調整済みの画像の高さに基づき、前記調整済みの画像の幅を特定するステップと、を含む
ことを特徴とする請求項１に記載の方法。
【請求項４】
ユーザにより予め設定されたパラメータに応じて、前記ディスプレースクリーンにおける調整済みの画像のサイズを特定するステップは、
ユーザにより予め設定された縮小・拡大比例、及び前記画像のオリジナル高さおよび幅に基づき、前記ディスプレースクリーンにおける調整済みの画像の高さ及び幅を特定するステップを含む
ことを特徴とする請求項１に記載の方法。
【請求項５】
前記ユーザを撮影し、撮像された画像に基づいて前記ユーザとディスプレースクリーンとの距離を特定する場合、前記方法はさらに、
撮像された画像における前記ユーザの位置に基づき、前記ユーザと前記ディスプレースクリーンとの、センタリング、左寄せ、右寄せを含む相対方位を特定するステップを含んでおり、
前記調整済みのサイズに応じて、ディスプレースクリーンにおいて前記画像を表示するステップは、
前記調整済みのサイズに応じて、ディスプレースクリーンにおける前記相対方位に対応する表示領域において、前記画像を表示するステップを含む
ことを特徴とする請求項２に記載の方法。
【請求項６】
前記ユーザから発信された無線信号をモニタリングして、前記無線信号の強度に応じて、前記ユーザとディスプレースクリーンとの距離を特定する場合、前記方法はさらに、
前記ディスプレースクリーンが存在する空間において異なる方位に固定され、且つ前記ユーザから発信された無線信号の強度をモニタリングすることによって前記ユーザとの距離を特定する少なくとも一つの他のデバイスから、前記少なくとも一つの他のデバイスにより採取された前記デバイスと前記ユーザとの距離を取得するステップと、
前記ユーザと前記ディスプレースクリーンとの距離、及び前記ユーザと前記少なくとも一つの他のデバイスとの距離に基づき、前記ユーザと前記ディスプレースクリーンとの、センタリング、左寄せ、右寄せを含む相対方位を特定するステップと、を含んでおり、
前記調整済みのサイズに応じて、ディスプレースクリーンにおいて前記画像を表示するステップは、
前記調整済みのサイズに応じて、ディスプレースクリーンにおける前記相対方位に対応する表示領域において、前記画像を表示するステップを含む
ことを特徴とする請求項２に記載の方法。
【請求項７】
前記調整済みのサイズに応じて、ディスプレースクリーンにおける前記相対位置に対応する表示領域において、前記画像を表示するステップは、
前記調整済みの画像のサイズとオリジナルサイズとの比例に応じて、前記画像に対し均等比例サンプリングを行うステップと、
前記相対方位に対応する表示領域内に、前記調整済みの画像の開始行、開始列、終了行及び終了列を特定するステップと、
前記開始行、開始列、終了行及び終了列に応じて、画像走査を行うことによって、調整済みの画像を表示するステップと、を含む
ことを特徴とする請求項５又は６に記載の方法。
【請求項８】
前記調整済みのサイズに応じて、ディスプレースクリーンにおいて前記画像を表示した後、さらに、
前記ユーザとディスプレースクリーンとの距離が所定の閾値以上であり、且つ、所定の時間持続したとモニタリングした場合、前記画像のオリジナルサイズを復元させると共に前記ディスプレースクリーンにおいて表示を行うステップを含む
ことを特徴とする請求項１〜６のいずれか１項に記載の方法。
【請求項９】
ディスプレースクリーンの前に位置するユーザとディスプレースクリーンとの距離をモニタリングするための距離モニタリングモジュールと、
前記ユーザとディスプレースクリーンとの距離が所定の閾値より小さいとモニタリングした場合、前記距離の大きさに基づいて前記ディスプレースクリーンにおける調整済みの画像のサイズを特定する、又は、ユーザにより予め設定されたパラメータに応じて、前記ディスプレースクリーン上的調整済みの画像のサイズを特定するためのサイズ特定モジュールと、
前記調整済みのサイズに応じて、ディスプレースクリーンにおいて前記画像を表示する表示制御モジュールと、を含む
ことを特徴とする表示画像の調整装置。
【請求項１０】
前記距離モニタリングモジュールは、
前記ユーザを撮影し、撮像された画像に基づいて前記ユーザとディスプレースクリーンとの距離を特定するための撮像サブモジュールと、
前記ユーザから発信された無線信号をモニタリングして、前記無線信号の強度に応じて、前記ユーザとディスプレースクリーンとの距離を特定するための無線信号モニタリングサブモジュールと、のうちの一つ又は複数を含む
ことを特徴とする請求項９に記載の装置。
【請求項１１】
前記サイズ特定モジュールは、
Ｓ＝ｎ＊Ｈで前記調整済みの画像の高さを算出するための算出サブモジュールと、
（ここで、前記Ｓはユーザとディスプレースクリーンとの距離であり、前記Ｈは調整済みの画像の高さであり、前記ｎの範囲は［３．５，５］である）
前記画像の所定のアスペクト比と前記調整済みの画像の高さに基づき、前記調整済みの画像の幅を特定するための第１の特定サブモジュールと、を含む
ことを特徴とする請求項９に記載の装置。
【請求項１２】
前記サイズ特定モジュールは、
ユーザにより予め設定された縮小・拡大比例、及び前記画像の本来の高さ及び幅に基づき、前記ディスプレースクリーンにおける調整済みの画像の高さ及び幅を特定するための第２の特定サブモジュールを含む
ことを特徴とする請求項９に記載の装置。
【請求項１３】
撮像された画像における前記ユーザの位置に基づき、前記ユーザと前記ディスプレースクリーンとの、センタリング、左寄せ、右寄せを含む相対方位を特定するための前記方位特定モジュールをさらに含み、
前記表示制御モジュールは、さらに、前記調整済みのサイズに応じて、ディスプレースクリーンにおける前記相対方位に対応する表示領域において前記画像を表図するために用いられる
ことを特徴とする請求項１０に記載の装置。
【請求項１４】
前記ディスプレースクリーンが存在する空間において異なる方位に固定され、且つ、前記ユーザから発信された無線信号の強度をモニタリングすることにより前記ユーザとの距離を特定する少なくとも一つの他のデバイスから、前記少なくとも一つの他のデバイスにより採取された前記デバイスと前記ユーザとの距離を取得し、前記ユーザと前記ディスプレースクリーンとの距離、及び前記ユーザと前記少なくとも一つの他のデバイスとの距離に基づき、前記ユーザと前記ディスプレースクリーンとの、センタリング、左寄せ、右寄せを含む相対方位を特定するための前記方位特定モジュールを更に含み、
前記表示制御モジュールは、更に、前記調整済みのサイズに応じてディスプレースクリーンにおける前記相対方位に対応する表示領域において前記画像を表示するために用いられる
ことを特徴とする請求項１０に記載の装置。
【請求項１５】
前記表示制御モジュールは、
前記調整済みの画像のサイズとオリジナルサイズとの比例に応じて、前記画像に対し均等比例サンプリングを行うためのサンプリングサブモジュールと、
前記相対方位に対応する表示領域内に、前記調整済みの画像の開始行、開始列、終了行及び終了列を特定するための第３の特定サブモジュールと、
前記開始行、開始列、終了行及び終了列に応じて、画像走査を行うことによって調整済みの画像を表示するための走査表示サブモジュールとを含む
ことを特徴とする請求項１３または１４に記載の装置。
【請求項１６】
前記サイズ特定モジュールは、さらに、前記調整済みのサイズに応じて、ディスプレースクリーンにおいて前記画像を表示した後、前記ユーザとディスプレースクリーンとの距離が所定の閾値以上であり、且つ、所定の時間持続したとモニタリングした場合、前記画像のオリジナルサイズを復元させるために用いられ、
前記表示制御モジュールは、ディスプレースクリーンにおいて前記画像のオリジナルサイズに応じて表示を行うために用いられる
ことを特徴とする請求項９〜１４のいずれか１項に記載の装置。
【請求項１７】
プロセッサと
プロセッサにより実行可能な指令を記憶するためのメモリと、を含み、
前記プロセッサは、
ディスプレースクリーンの前に位置するユーザとディスプレースクリーンとの距離をモニタリングし、
前記ユーザとディスプレースクリーンとの距離が所定の閾値より小さいとモニタリングした場合、前記距離の大きさに基づいて前記ディスプレースクリーンにおける調整済みの画像のサイズを特定する、又は、ユーザにより予め設定されたパラメータに応じて、前記ディスプレースクリーンにおける調整済みの画像のサイズを特定し、
前記調整済みのサイズに応じて、ディスプレースクリーンにおいて前記画像を表示する
ことを特徴とする表示画像の調整装置。
【発明の詳細な説明】
【相互参照】
【０００１】
本願は、出願番号がＣＮ２０１５１０６４５５３８．２であって、出願日が２０１５年１０月８日である中国特許出願に基づいて優先権を主張し、当該中国特許出願のすべての内容を本願に援用する。
【技術分野】
【０００２】
本発明はスマートディスプレーの技術分野に関し、特に、表示画像の調整方法及びその装置に関する。
【背景技術】
【０００３】
テレビを見ることは視聴距離及び視聴角度について要求があるので、距離及び角度が不適な場合には、目の疲労を容易に起こしたり、ユーザの視聴体験に悪影響を与えたりする恐れはある。
【０００４】
現在、テレビのサイズがどんどん大きくなり、家庭用テレビのサイズが既に７０インチ以上になったため、一定の視聴距離（７〜８メートル）は要求されるようになる。しかしながら、時には、ユーザが近距離で視聴しようとしており、例えば、テレビがベッドの対向面には取り付けられている場合、最適な視聴位置（距離）は枕元であるが、ユーザがたまたまベッドに腹ばいになったりベッドのフット側に坐ったりしてテレビに比較的近い位置でテレビを見ようとしている。このようにしたら、視聴距離が近すぎて、目の回動視角も大きすぎ、目の疲労を起こし易い。
【発明の概要】
【発明が解決しようとする課題】
【０００５】
本発明の実施例は表示画像の調整方法及びその装置を提供し、前記技術案は以下の通りである。
【課題を解決するための手段】
【０００６】
本発明の実施例の第１の局面によれば、表示画像の調整方法を提供し、
ディスプレースクリーンの前に位置するユーザとディスプレースクリーンとの距離をモニタリングするステップと、
前記ユーザとディスプレースクリーンとの距離が所定の閾値より小さいとモニタリングした場合、前記距離の大きさに基づいて前記ディスプレースクリーンにおける調整済みの画像のサイズを特定する、又は、ユーザにより予め設定されたパラメータに応じて、前記ディスプレースクリーン上的調整済みの画像のサイズを特定するステップと、
前記調整済みのサイズに応じて、ディスプレースクリーンにおいて前記画像を表示するステップと、を含む。
【０００７】
上記の実施例では、ユーザとディスプレースクリーンとの距離が所定の閾値より小さいとモニタリングした場合、距離の大きさに基づいてディスプレースクリーンにおける調整済みの画像のサイズを特定する、または、ユーザにより予め設定されたパラメータに応じて、ディスプレースクリーンにおける調整済みの画像のサイズを特定する。サイズが調整された画像をディスプレースクリーンに表示する。このようなユーザの視聴距離の変化に応じて表示された画像のサイズを適応的に調整する方案は、ユーザの視聴体験を向上するとともにユーザの目の疲労を回避してユーザの視力を保護することができる。
【０００８】
一実施例において、ユーザとディスプレースクリーンとの距離モニタリングするステップは、
前記ユーザを撮影して、撮像された画像に基づいて前記ユーザとディスプレースクリーンとの距離を特定する方式と、
前記ユーザから発信された無線信号をモニタリングして、前記無線信号の強度に基づき、前記ユーザとディスプレースクリーンとの距離を特定する方式と、のうちの一つ又は複数を含む。
【０００９】
上記の実施例は、ユーザを撮影する方式及び無線信号をモニタリングする方式にて、ユーザ距離に対する正確のモニタリングを実現でき、実施の形態が様々である。
【００１０】
一実施例において、前記距離の大きさに基づいて前記ディスプレースクリーンにおける調整済みの画像のサイズを特定するステップは、
Ｓ＝ｎ＊Ｈで前記調整済みの画像の高さを算出するステップと、
（ここで、前記Ｓがユーザとディスプレースクリーンとの距離であり、前記Ｈが調整済みの画像の高さであり、前記ｎの範囲が［３．５，５］である）
前記画像の所定のアスペクト比と前記調整済みの画像の高さに基づき、前記調整済みの画像の幅を特定するステップと、を含む。
【００１１】
本実施例は、表示高さと比較的良い視聴距離との数値関係に基づき、調整済みの画像の高さを特定することにより、現在ユーザとディスプレースクリーンとの距離の下で、ユーザの視聴に適した画像の高さ及び幅にすることで、ユーザの視聴体験を向上し目の疲労を回避することができる。
【００１２】
一実施例において、ユーザにより予め設定されたパラメータに応じて、前記ディスプレースクリーンにおける調整済みの画像のサイズを特定するステップは、
ユーザにより予め設定された縮小・拡大比例、及び前記画像のオリジナル高さおよび幅に基づき、前記ディスプレースクリーンにおける調整済みの画像の高さ及び幅を特定するステップを含む。
【００１３】
本発明の実施例は、さらに、ユーザ自分の定義した設定に基づき、調整済みのサイズの大きさを特定し、表示された画像の大きさをユーザの要求にもっと接近させて、ユーザによる個性化を満たす。
【００１４】
一実施例において、前記ユーザを撮影し、撮像された画像に基づいて前記ユーザとディスプレースクリーンとの距離を特定する場合、前記方法はさらに、
撮像された画像における前記ユーザの位置に基づき、前記ユーザと前記ディスプレースクリーンとの、センタリング、左寄せ、右寄せを含む相対方位を特定するステップを含んでおり、
前記調整済みのサイズに応じて、ディスプレースクリーンにおいて前記画像を表示するステップは、
前記調整済みのサイズに応じて、ディスプレースクリーンにおける前記相対方位に対応する表示領域において、前記画像を表示するステップを含む。
【００１５】
一実施例において、前記ユーザから発信された無線信号をモニタリングして、前記無線信号の強度に応じて、前記ユーザとディスプレースクリーンとの距離を特定する場合、前記方法はさらに、
前記ディスプレースクリーンが存在する空間において異なる方位に固定され、且つ、前記ユーザから発信された無線信号の強度をモニタリングすることによって前記ユーザとの距離を特定する少なくとも一つの他のデバイスから、前記少なくとも一つの他のデバイスにより採取された前記デバイスと前記ユーザとの距離を取得するステップと、
前記ユーザと前記ディスプレースクリーンとの距離、及び前記ユーザと前記少なくとも一つの他のデバイスとの距離に基づき、前記ユーザと前記ディスプレースクリーンとの、センタリング、左寄せ、右寄せを含む相対方位を特定するステップと、を含んでおり、
前記調整済みのサイズに応じて、ディスプレースクリーンにおいて前記画像を表示するステップは、
前記調整済みのサイズに応じて、ディスプレースクリーンにおける前記相対方位に対応する表示領域において、前記画像を表示するステップを含む。
【００１６】
上記の実施例は、画像撮像及び無線信号採取の方式を用いて、ユーザとスクリーンとの相対方位を特定し、ユーザがスクリーンにおけるセンタリング、左寄せ及び右寄せの位置にいることをよりよく特定でき、さらに、対応位置において、調整済みの画像を表示することにより、調整済みの画像をユーザのいる位置に対向させて、ユーザの目の回動角度が大きすぎることによる疲労を回避し、ユーザの視聴の快適性を向上する。
【００１７】
一実施例において、前記調整済みのサイズに応じて、ディスプレースクリーンにおける前記相対位置に対応する表示領域において、前記画像を表示するステップは、
前記調整済みの画像のサイズとオリジナルサイズとの比例に応じて、前記画像に対し均等比例サンプリングを行うステップと、
前記相対方位に対応する表示領域内に、前記調整済みの画像の開始行、開始列、終了行及び終了列を特定するステップと、
前記開始行、開始列、終了行及び終了列に応じて、画像走査を行うことによって、調整済みの画像を表示するステップと、を含む。
【００１８】
上記の実施例において、調整済みの画像の開始行、開始列、終了行及び終了列を用いて、調整済みの画像に対し走査表示を行い、現在通用するディスプレースクリーンの具体的な実施の形態を提示する。
【００１９】
一実施例において、前記調整済みのサイズに応じて、ディスプレースクリーンにおいて前記画像を表示した後、さらに、
前記ユーザとディスプレースクリーンとの距離が所定の閾値以上であり、且つ、所定の時間持続したとモニタリングした場合、前記画像のオリジナルサイズを復元させると共に前記ディスプレースクリーンにおいて表示を行うステップを含む。
【００２０】
上記の実施例は、ユーザに対し視聴位置を変更し、改めて比較的適合の視聴距離に戻す場合、画像のオリジナルサイズを復元させて表示する。このようなユーザの位置変化に応じて画像のサイズを適応的に調整する方案は、ユーザのために快適な視聴体験を提供するとともに、ユーザの視力を保護することができる。
【００２１】
本発明の実施例の第２の局面によれば、表示画像の調整装置を提供し、
ディスプレースクリーンの前に位置するユーザとディスプレースクリーンとの距離をモニタリングするための距離モニタリングモジュールと、
前記ユーザとディスプレースクリーンとの距離が所定の閾値より小さいとモニタリングした場合、前記距離の大きさに基づいて前記ディスプレースクリーンにおける調整済みの画像のサイズを特定する、又は、ユーザにより予め設定されたパラメータに応じて、前記ディスプレースクリーン上的調整済みの画像のサイズを特定するためのサイズ特定モジュールと、
前記調整済みのサイズに応じて、ディスプレースクリーンにおいて前記画像を表示する表示制御モジュールと、を含む。
【００２２】
一実施例において、前記距離モニタリングモジュールは、
前記ユーザを撮影し、撮像された画像に基づいて前記ユーザとディスプレースクリーンとの距離を特定するための撮像サブモジュールと、
前記ユーザから発信された無線信号をモニタリングして、前記無線信号の強度に応じて、前記ユーザとディスプレースクリーンとの距離を特定するための無線信号モニタリングサブモジュールと、のうちの一つ又は複数を含む。
【００２３】
一実施例において、サイズ特定モジュールは、
Ｓ＝ｎ＊Ｈで前記調整済みの画像の高さを算出するための算出サブモジュールと、
（ここで、前記Ｓがユーザとディスプレースクリーンとの距離であり、前記Ｈが調整済みの画像の高さであり、前記ｎの範囲が［３．５，５］である）
前記画像の所定のアスペクト比と前記調整済みの画像の高さに基づき、前記調整済みの画像の幅を特定するための第１の特定サブモジュールと、を含む。
【００２４】
一実施例において、サイズ特定モジュールは、
ユーザにより予め設定された縮小・拡大比例、及び前記画像の本来の高さ及び幅に基づき、前記ディスプレースクリーンにおける調整済みの画像の高さ及び幅を特定するための第２の特定サブモジュールを含む。
【００２５】
一実施例において、上記の装置は、撮像された画像における前記ユーザの位置に基づき、前記ユーザと前記ディスプレースクリーンとの、センタリング、左寄せ、右寄せを含む相対方位を特定するための前記方位特定モジュールをさらに含み、
前記表示制御モジュールは、さらに、前記調整済みのサイズに応じて、ディスプレースクリーンにおける前記相対方位に対応する表示領域において前記画像を表図するために用いられる。
【００２６】
一実施例において、上記の装置は、
前記ディスプレースクリーンが存在する空間において異なる方位に固定され、且つ、前記ユーザから発信された無線信号の強度をモニタリングすることにより前記ユーザとの距離を特定する少なくとも一つの他のデバイスから、前記少なくとも一つの他のデバイスにより採取された前記デバイスと前記ユーザとの距離を取得し、前記ユーザと前記ディスプレースクリーンとの距離、及び前記ユーザと前記少なくとも一つの他のデバイスとの距離に基づき、前記ユーザと前記ディスプレースクリーンとの、センタリング、左寄せ、右寄せを含む相対方位を特定するための前記方位特定モジュールを更に含み、
前記表示制御モジュールは、更に、前記調整済みのサイズに応じてディスプレースクリーンにおける前記相対方位に対応する表示領域において前記画像を表示するために用いられる。
【００２７】
一実施例において、前記表示制御モジュールは、
前記調整済みの画像のサイズとオリジナルサイズとの比例に応じて、前記画像に対し均等比例サンプリングを行うためのサンプリングサブモジュールと、
前記相対方位に対応する表示領域内に、前記調整済みの画像の開始行、開始列、終了行及び終了列を特定するための第３の特定サブモジュールと、
前記開始行、開始列、終了行及び終了列に応じて、画像走査を行うことによって調整済みの画像を表示するための走査表示サブモジュールとを含む。
【００２８】
一実施例において、サイズ特定モジュールは、さらに、前記調整済みのサイズに応じて、ディスプレースクリーンにおいて前記画像を表示した後、前記ユーザとディスプレースクリーンとの距離が所定の閾値以上であり、且つ、所定の時間持続したとモニタリングした場合、前記画像のオリジナルサイズを復元させるために用いられ、
前記表示制御モジュールは、ディスプレースクリーンにおいて前記画像のオリジナルサイズに応じて表示を行うために用いられる。
【００２９】
本発明の実施例の第３の局面によれば、表示画像の調整装置を提供し、
プロセッサと
プロセッサにより実行可能な指令を記憶するためのメモリと、を含み、
前記プロセッサは、
ディスプレースクリーンの前に位置するユーザとディスプレースクリーンとの距離をモニタリングし、
前記ユーザとディスプレースクリーンとの距離が所定の閾値より小さいとモニタリングした場合、前記距離の大きさに基づいて前記ディスプレースクリーンにおける調整済みの画像のサイズを特定する、又は、ユーザにより予め設定されたパラメータに応じて、前記ディスプレースクリーンにおける調整済みの画像のサイズを特定し、
前記調整済みのサイズに応じて、ディスプレースクリーンにおいて前記画像を表示する。
【発明の効果】
【００３０】
本発明の実施例で提供される技術方案は以下の有益な効果を含む。
【００３１】
本発明の実施例の提示する上記表示画像の調整方法及びその装置は、ユーザとディスプレースクリーンとの距離が所定の閾値より小さいとモニタリングした場合、ユーザの現在の距離が比較的よい視聴距離でないことが特定されると、距離の大きさに基づいてディスプレースクリーンにおける調整済みの画像のサイズを特定する、または、ユーザにより予め設定されたパラメータに応じて、ディスプレースクリーンにおける調整済みの画像のサイズを特定する。サイズが調整された画像をディスプレースクリーンに表示する。このようなユーザの視聴距離の変化に応じて表示された画像のサイズを適応的に調整する方案は、視聴体験を向上するとともに、ユーザの目の疲労を回避してユーザの視力を保護することができる。
【００３２】
以上の一般的な記述及び以下の詳細な記述は、例示のものに過ぎず、本開示を限定するものではないと理解すべきである。
【図面の簡単な説明】
【００３３】
ここでの図面は、本明細書の一部として、本発明に適切な実施例を示し、明細書と合わせて本発明の原理を解釈する。
【図１】例示的な実施例における表示画像の調整方法を示すフローチャートである。
【図２】例示的な実施例におけるステップＳ１２を示すフローチャートである。
【図３】例示的な実施例における表示画像の調整方法を示す第二つのフローチャートである。
【図４】例示的な実施例における調整済みの画像が存在する、異なる表示領域を模式的に示す図である。
【図５】例示的な実施例における調整済みの画像が存在する、異なる表示領域を模式的に示す図である。
【図６】例示的な実施例における調整済みの画像が存在する、異なる表示領域を模式的に示す図である。
【図７】例示的な実施例における表示画像の調整方法を示す第三種のフローチャートである。
【図８】例示的な実施例におけるディスプレースクリーン、ユーザ、及び他のデバイスの位置関係を示す図である。
【図９】例示的な実施例におけるステップＳ１４１を示すフローチャートである。
【図１０】例示的な実施例におけるディスプレースクリーンにおける画素配置を示す図である。
【図１１】例示的な実施例における調整済みの画像を模式的に示す図である。
【図１２】例示的な実施例におけるＬＣＤディスプレースクリーンにおいて画像をセンタリングして表示することを模式的に示す図である。
【図１３】例示的な実施例における表示画像の調整装置を示すブロック図である。
【図１４】例示的な実施例における距離モニタリングモジュール１３１を示すブロック図である。
【図１５】例示的な実施例におけるサイズ特定モジュール１３２を示すブロック図である。
【図１６】例示的な実施例におけるサイズ特定モジュール１３２を示す他のブロック図である。
【図１７】例示的な実施例における表示制御モジュール１３３を示すブロック図である。
【図１８】例示的な実施例における表示画像の調整装置を示すブロック図である。
【発明を実施するための形態】
【００３４】
ここで、図面に示された例示的な実施例を詳細に説明する。以下の内容において、図面を言及するとき、特に説明しない限り、異なる図面における同じ数字が同一または同等の要素を示す。以下の例示的な実施例に記載の実施の形態は、本発明と一致するあらゆる実施の形態を代表するわけではない。逆に、それらは、添付された特許請求の範囲に詳細に記載される、本発明の一部の方面と一致する装置及び方法の例にすぎない。
【００３５】
図１は例示的な実施例における表示画像の調整方法を示すフローチャートである。図１に示すように、該方法は下記のステップを含む。
【００３６】
ステップＳ１１において、ディスプレースクリーンの前に位置するユーザとディスプレースクリーンとの距離をモニタリングする。前記ユーザとディスプレースクリーンとの距離が所定の閾値より小さいとモニタリングした場合、Ｓ１２またはＳ１３を実行する。
【００３７】
ステップＳ１２において、距離の大きさに基づいてディスプレースクリーンにおける調整済みの画像のサイズを特定する。
【００３８】
ステップＳ１３において、ユーザにより予め設定されたパラメータに応じて、ディスプレースクリーンにおける調整済みの画像のサイズを特定する。
【００３９】
ステップＳ１４において、調整済みのサイズに応じて、ディスプレースクリーンにおいて画像を表示する。
【００４０】
本発明の実施例に係わる上記方法は、様々な再生端末、例えば、テレビ、コンピュータディスプレーなどに適用され得、映像再生機能を有する装置であればよい。本発明の実施例はこれについて限定を行わない。
【００４１】
本発明の実施例に係わる上記表示画像の調整方法は、ユーザとディスプレースクリーンとの距離が所定の閾値より小さい場合、ユーザの現在の距離が比較的良い視聴距離でないことが特定されると、距離の大きさに基づいてディスプレースクリーンにおける調整済みの画像のサイズを特定する、または、ユーザにより予め設定されたパラメータに応じて、ディスプレースクリーンにおける調整済みの画像のサイズを特定することによって、ディスプレースクリーンにおいてサイズが調整された画像を表示する。このようなユーザの視聴距離の変化に応じて画像のサイズを適応的に調整する方案は、視聴体験を向上するとともにユーザの目の疲労を回避してユーザの視力を保護することができる。
【００４２】
以下、上記の各ステップについて別々に説明を行う。
【００４３】
一実施例において、上記のステップＳ１１において、ユーザとディスプレースクリーンとの距離モニタリングするステップは、下記の形態のうちの一つまたは複数を含む。
【００４４】
ユーザを撮影して、撮像された画像に基づいてユーザとディスプレースクリーンとの距離を特定する。
【００４５】
ユーザから発信された無線信号をモニタリングして、無線信号の強度に応じて、ユーザとディスプレースクリーンとの距離を特定する。
【００４６】
実施する際に、再生端末に画像採取装置、例えば、カメラヘッドなどを配置することによって、ディスプレースクリーンの前に位置するユーザを撮影し、撮像された画像に基づき、ユーザとディスプレースクリーンとの距離を正確に位置決めることができる。
【００４７】
ユーザから発信された無線信号は様々な無線信号、例えば、近距離無線通信接続信号（ブルートゥース、赤外線、ＮＦＣ、無線自動識別（ＲＦＩＤ、Ｒａｄｉｏ  Ｆｒｅｑｕｅｎｃｙ  Ｉｄｅｎｔｉｆｉｃａｔｉｏｎ）などの無線信号）、無線ＬＡＮ接続信号（例えば、ＷＩＦＩ信号）などであり得る。ユーザは、このような無線信号を発信できるデバイス、例えば、携帯電話や、スマート・ブレスレットなどのような装着可能なデバイスなどを携帯することによって、対応する無線信号を発信することができる。
【００４８】
無線信号、例えば、ブルートゥース信号、及びＷｉＦｉ信号などの強度と距離とが反比例関係にあり、即ち、強度が大きいほど距離が近くなる。このような関係に基づき、ユーザから発信された無線信号とディスプレースクリーンとの距離を算出できる。
【００４９】
無線信号の強さは信号を減衰させる距離に関わっており、具体的には、関係技術における無線信号の強度と距離との数学関係を参照して演算を行うことができる。
【００５０】
上記の二つの方式を同時に使用することもできるし、そのうちの一種を選択して使用することもできる。二つの方式を同時に使用する場合、両者の特定した距離値を平均する、または、二つの方式の異なる精度を加重平均することによって、ユーザとディスプレースクリーンとの距離を得る。
【００５１】
ディスプレースクリーンにおける表示画像がユーザの位置の頻繁の変化に従ってユーザの視聴に影響を与えることを回避するために、本発明の実施例のＳ１２において、前記ユーザとディスプレースクリーンとの距離が所定の閾値より小さいことがモニタリングされてこそ、はじめてディスプレースクリーンにおける表示画像サイズを調整する方案をトリガーして実行する。この閾値はディスプレースクリーンの大きさに応じて決められるのであり、一般的にはディスプレースクリーンの大きさが比較的良い視聴距離に関わり、スクリーンの大きさに対応する比較的良い視聴距離に基づいて予め設定され得るからである。
【００５２】
一実施例において、ステップＳ１２において、距離の大きさに基づいてディスプレースクリーンにおける調整済みの画像のサイズを特定する。図２に示すように、ステップＳ２１〜Ｓ２２を含む。
【００５３】
ステップＳ２１において、Ｓ＝ｎ＊Ｈで前記調整済みの画像の高さを算出する。ここで、Ｓがユーザとディスプレースクリーンとの距離であり、Ｈが調整済みの画像の高さであり、ｎの範囲が［３．５，５］である。
【００５４】
上記のように、一般的には、比較的良い視聴距離が表示高さの３．５〜５倍（具体的な数値はインチ毎の有する画素の数（ＰＰＩ，ｐｉｘｅｌｓｐｅｒｉｎｃｈ）に応じて決められ得、ＰＰＩが高いほどやや小さい値を取り、ＰＰＩ低いほどやや大きい値を取ることができる）であるため、ユーザとディスプレースクリーンとの距離に基づいて比較的適合の表示高さが逆に推測できる。
【００５５】
ステップＳ２２において、画像の所定のアスペクト比及び調整済みの画像の高さに基づき、調整済みの画像の幅を特定する。
【００５６】
画像のいずれも予め設定されたアスペクト比を有し、本来の視聴效果を保持し、官能的な画像変形を発生させないために、本来の所定のアスペクト比及び調整済みの高さに応じて、整済みの画像の幅を得ることができる。
【００５７】
一実施例において、ステップＳ１３において、ユーザにより予め設定されたパラメータに応じて、前記ディスプレースクリーンにおける調整済みの画像のサイズを特定するステップは、
ユーザにより予め設定された縮小・拡大比例、及び前記画像の本来の高さ及び幅に基づき、前記ディスプレースクリーンにおける調整済みの画像の高さ及び幅を特定する、ステップを含む。
【００５８】
このような実施の形態において、二つの方式はある。一つの方式としては、ユーザが予め縮小・拡大比例のパラメータを設定して再生端末中に格納し、一旦ユーザとディスプレースクリーンとの距離が所定の閾値より小さい状況が出ると、格納されたユーザにより予め設定された縮小・拡大比例に従って演算をお行ってディスプレースクリーンにおける調整済みの画像の高さ及び幅を得る。
【００５９】
他の方式としては、ユーザとディスプレースクリーンとの距離が所定の閾値より小さいとモニタリングした場合、ユーザにプロンプト情報を発信し、ユーザに現在表示画像のサイズが視聴に不適であることをプロンプトするとともに、ユーザがリアルタイムに選択できるように、ユーザにインタラクティブ・インターフェース、例えば、縮小・拡大比例の設定オプションを提供する。この場合、更にユーザにより設定された縮小・拡大比例に応じて調整済みの画像のサイズを特定する。
【００６０】
一実施例において、ステップＳ１１においてユーザを撮影し、撮像された画像に基づいてユーザとディスプレースクリーンとの距離を特定する場合、上記方法はさらに次のステップを含み得る。
【００６１】
撮像された画像におけるユーザの位置に基づき、ユーザとディスプレースクリーンとの、センタリング、左寄せ、右寄せを含む相対方位を特定する。
【００６２】
上記のステップはＳ１２またはＳ１３と相互に独立的に実行されるのであり、その前後順序に対して限定しない。
【００６３】
相応に、上記のステップＳ１４において、図３に示すように、調整済みのサイズに応じて、ディスプレースクリーンにおいて画像を表示するが、実施例では、下記ステップＳ１４１である。
【００６４】
ステップＳ１４１において、調整済みのサイズに応じて、ディスプレースクリーンにおける相対方位に対応する表示領域において、画像を表示する。
【００６５】
例を挙げて説明すれば、撮像された画像のうち、ユーザ以外に、再生装置が存在する空間における他の品物を更に含み、これらの品物を参照物として、ユーザとディスプレースクリーンとの相対方位を特定することができる。例えば、寝室環境の場合、再生装置のディスプレースクリーンの直前にベッドがあり、左側に洋服だんすがあり、右側にフロアランプがあると、撮像された画像におけるユーザとこれらの参照物との位置関係に対する識別に基づき、ユーザがディスプレースクリーンに対するセンタリング、左寄せ、または右寄せであるかを特定することができる。
【００６６】
このようにして、Ｓ１４１において、特定された調整済みのサイズに応じて、ディスプレースクリーンにおけるセンタリング、左寄せまたは右寄せの表示領域において画像を表示することができる。
【００６７】
例を挙げて説明すれば、図４〜６は調整済みの画像が存在する異なる表示領域を模式的に示す図である。図４〜６において、白い背景が本来の表示領域（画像が調整される前の表示領域）を示し、灰色のブロックが調整済みの画像の表示領域を示す。
【００６８】
図４はサイズが調整された後の画像をセンタリングし表示することを模式的に示す図であり、図５はサイズが調整された後の画像を右寄せに表示することを模式的に示す図であり、図６はサイズが調整された後の画像を左寄せに表示することを模式的に示す図である。
【００６９】
図４〜６は模式図だけであり、具体的な表示位置に対し限定を行わない。
【００７０】
上記のように、ユーザとディスプレースクリーンとの相対方位に応じて、サイズが調整された画像の表示領域を特定することのメリットは、ユーザとディスプレースクリーンとの相対位置に応じて、サイズが調整された画像をセンタリングし表示したり、左寄せに表示したり、右寄せに表示したりすることができ、ユーザがディスプレースクリーンより左側の位置にいる場合、サイズが調整された画像も同様にディスプレースクリーンより右側の領域にあり、ユーザがディスプレースクリーンより右側の位置にいる場合、サイズが調整された画像も同様にディスプレースクリーンより右側の領域にあり、ユーザがスクリーンの直前にいる場合、サイズが調整された画像はディスプレースクリーンにおいてセンタリングして表示される。このようにして、ユーザは、視聴時に、目の回動角度が余り大きくなく（±１５度以内）、目の疲労を起こす恐れがなく、良好の視聴效果を保証するとともにユーザの視力を保護する。
【００７１】
他の実施例において、ステップＳ１１において前記ユーザから発信された無線信号をモニタリングして、無線信号の強度に応じて前記ユーザとディスプレースクリーンとの距離を特定した場合、図７に示すように、上記方法はさらに下記のステップＳ１６〜Ｓ１７を含み得る。
【００７２】
ステップＳ１６において、ディスプレースクリーンが存在する空間における少なくとも一つの他のデバイスから、少なくとも一つの他のデバイスにより採取されたデバイスとユーザとの間の距離を取得する。少なくとも一つの他のデバイスは、空間における異なる方位に固定され、かつ、ユーザから発信された無線信号の強度をモニタリングすることによってユーザとの距離を特定する。
【００７３】
ステップＳ１７において、ユーザとディスプレースクリーンとの距離、及び前記ユーザと少なくとも一つの他のデバイスとの間の距離に基づき、前記ユーザとディスプレースクリーンとの間の相対方位を特定する。相対方位はセンタリング、左寄せ、右寄せを含む。
【００７４】
上記のステップＳ１６及びＳ１７と、ステップ１２またはステップＳ１３とは互いに独立に実行されるのであり、前後順序に対して限定しない。
【００７５】
相応的に、上記のＳ１４において、調整済みのサイズに応じて、ディスプレースクリーンにおいて画像を表示する。図３に示すように、前記実施例は下記ステップＳ１４１である。
【００７６】
ステップＳ１４１において、調整済みのサイズに応じて、ディスプレースクリーンにおける相対方位に対応する表示領域において、画像を表示する。
【００７７】
上記のＳ１６、Ｓ１７より前に、予めディスプレースクリーンが存在する空間において、位置が固定された少なくとも一つの他のデバイスを設置し、これまたはこれらの他のデバイスが同様に無線信号発信能力を有し、周辺で同一の無線信号を発信するデバイスを走査して無線接続を作成することができる。このようにして、再生端末のディスプレースクリーンとユーザとが無線接続を行う際に、同様に、これまたはこれらの他のデバイスと無線接続を作成し、かつ、このような無線接続によって他のデバイスとユーザとの距離を算出することができる。上記のＳ１６において、再生端末はディスプレースクリーンとユーザとの間の距離を取得でき、また少なくとも一つの他のデバイスにより採取された該デバイスとユーザとの距離を取得できる。
【００７８】
したがって、Ｓ１７において、再生端末はユーザとディスプレースクリーンとの距離、及びユーザと少なくとも一つの他のデバイスとの距離に基づき、ユーザと再生端末のディスプレースクリーンとの相対方位を特定できる。
【００７９】
図８に示すように、二次元空間としては、ディスプレースクリーンと他のデバイスの位置が固定されており、ディスプレースクリーンの座標及び他のデバイスの座標が既知であり、ユーザとディスプレースクリーンとの距離、及びユーザと他のデバイスとの距離を了解すると、二次元空間におけるユーザの座標を算出でき、ユーザの座標を得たら、ユーザとディスプレースクリーンとの相対方位を特定できる。
【００８０】
参照物としての他のデバイスの数が複数（二つ以上）であると、算出されたユーザの位置がより精確になることは勿論のことである。
【００８１】
本実施例において、調整済みのサイズに応じて、ディスプレースクリーンにおける相対方位に対応する表示領域において、画像を表示する。前記実施例と類似するように、ユーザとディスプレースクリーンとの相対位置に応じて、サイズが調整された画像をセンタリングして表示したり、左寄せに表示したり、右寄せに表示したりすることができる。具体的な実施過程及び有益な効果に関しては前記実施例を参照する。
【００８２】
一実施例において、図９に示すように、上記のＳ１４１はさらにステップＳ９１〜Ｓ９３として実行され得る。
【００８３】
ステップＳ９１において、調整済みのサイズと前記画像のオリジナルサイズとの比例に応じて、画像に対して均等比例サンプリングを行なう。
【００８４】
ステップＳ９２において、相対方位に対応する表示領域において、調整済みの画像の開始行、開始列、終了行、及び終了列を特定する。
【００８５】
ステップＳ９３において、開始行、開始列、終了行及び終了列に従って画像走査を行うことによって、調整済みの画像を表示する。
【００８６】
上記のステップＳ９１において、例えば、調整済みの高さ及び幅が画像のオリジナルサイズの２／３であると、例えば、均等比例サンプリングの算法を用いられ、例えば、オリジナルサイズの２／３に従って均一サンプリングの方式にて、オリジナル画像における一部の画素を抽出し、サイズが調整された画像を形成することができる。
【００８７】
他のサンプリング方式であってもよく、表示された画像の解像度などのパラメータによる要求を参照し、適宜のサンプリング方式を使用できるということは勿論のことである。
【００８８】
画像のディスプレースクリーンでの表示方式は行列走査方式であるため、画像がディスプレースクリーンにおいて表示される開始行、開始列、終了行及び終了列を特定する必要がある。このようにして、Ｓ９３において、開始行、開始列、終了行及び終了列に従って調整済みの画像を走査し表示することができる。
【００８９】
走査方式は、複数あり得、例えば、順次走査又は飛び越し走査がある。
【００９０】
順次走査の方式とは、行毎に上から下へ順次に走査する方式である（スクリーンにおけるそれぞれの表示ユニットを点灯する）。
【００９１】
飛び越し走査の方式とは、奇数行および偶数行を別々に走査して完備の画像を得る方式であり、一般的には、奇数行を走査してから偶数行を走査する。
【００９２】
どの走査方式を用いても、ディスプレースクリーンにおけるユーザの相対方位に対応する表示領域においてサイズが調整された画像を表示できる方式であればよい。
【００９３】
一実施例において、ステップＳ１４において、調整済みのサイズに応じて、ディスプレースクリーンにおいて画像を表示した後、更に、
ユーザとディスプレースクリーンとの距離が所定の閾値以上であり、且つ、所定時間持続したことをモニタリングした場合、画像のオリジナルサイズを復元させてディスプレースクリーンにおいて表示を行うステップを含む。
【００９４】
上記の実施例は、ユーザが視聴位置を変更して改めて比較的適合の視聴距離に戻すという状況を説明対象としており、この場合には、ユーザの動作についての誤判定を回避するために、ユーザとディスプレースクリーンとの距離が変化した後、このような位置変化が所定時間持続したか否かを判定しなければならず、肯定であれば、このときユーザの視聴位置が変化したと特定して、前記Ｓ１１〜Ｓ１４に係る技術案から退出するようトリガして、画像のオリジナルサイズに戻して表示を行う。このような適応的にユーザの位置変化に応じて画像のサイズを調整する方案は、ユーザのためにより快適な視聴体験をもたらすと共にユーザの視力を保護することができる。
【００９５】
以下、一つの具体的な例を挙げて本発明の実施例の提供する表示画像の調整方法について説明を行う。
【００９６】
当該具体的な例において、液晶テレビのＬＣＤディスプレースクリーンを例としている。図１０に示すように、このようなディスプレースクリーンにおける画素配置はいずれの画素も三つのサブ画素からなる（例えば、ＲＧＢフォーマット）。仮にユーザとＬＣＤディスプレースクリーンとの距離が所定の距離より小さいとすれば、サイズが調整された画像の高さおよび幅がオリジナル画像の２／３であることが、ユーザとＬＣＤディスプレースクリーンとの距離に基づいて算出された場合、２／３の均等比例サンプリングを行って、得られた調整済みの画像が図１１に示すようである（理解に役立つために、一定の数の画素を表示しているが、実際的な画像の画素は図示より多い）。
【００９７】
図１２に示すように、ユーザとＬＣＤディスプレースクリーンとの相対方位に基づき、ユーザがディスプレースクリーンのセンタリング位置にあることを特定すると、更に、ＬＣＤディスプレースクリーンのセンタリング位置にサイズが調整された画像を表示すると共に、サイズが調整された画像表示領域の第１行および最後の行、第１列および左後の列を特定し、特定された第１行および最後の行、第１列および左後の列に基づき、液晶テレビの所定の走査方式、即ち、順次走査の方式に従い、サンプリングされた画像の画素に対し順次走査を行うことによって、ＬＣＤディスプレースクリーンにおいて画像をセンタリングして表示する。
【００９８】
図１３は例示的な実施例における表示画像の調整装置を示すブロック図である。図１０に示すように、該装置は、距離モニタリングモジュール１３１、サイズ特定モジュール１３２、および表示制御モジュール１３３を含む。
【００９９】
該距離モニタリングモジュール１３１は、ディスプレースクリーンの前に位置するユーザとディスプレースクリーンとの距離をモニタリングするように構成されている。
【０１００】
該サイズ特定モジュール１３２は、前記ユーザとディスプレースクリーンとの距離が所定の閾値より小さいとモニタリングした場合、前記距離の大きさに基づいて前記ディスプレースクリーンにおける調整済みの画像のサイズを特定する、又は、ユーザにより予め設定されたパラメータに応じて、前記ディスプレースクリーンにおける調整済みの画像のサイズを特定する、ように構成されている。
【０１０１】
該表示制御モジュール１３３は、前記調整済みのサイズに応じて、ディスプレースクリーンにおいて前記画像を表示するように構成されている。
【０１０２】
上記の実施例に係わる装置に関しては、各モジュールが操作を実行する具体的な方式は該方法に係る実施例において既に詳しく記載されたので、ここに、詳しく説明しない。
【０１０３】
一実施例において、図１４に示すように、距離モニタリングモジュール１３１は下記一つ又は複数のモジュールを含む。
【０１０４】
撮像サブモジュール１３１１は、前記ユーザを撮影して、撮影された画像に基づいて前記ユーザとディスプレースクリーンとの距離を特定するために用いられる。
【０１０５】
無線信号モニタリングサブモジュール１３１２は、ユーザから発信された無線信号をモニタリングして、無線信号の強度に応じて、ユーザとディスプレースクリーンとの距離を特定するために用いられる。
【０１０６】
一実施例において、図１５に示すように、サイズ特定モジュール１３２は、
Ｓ＝ｎ＊Ｈで前記調整済みの画像の高さを算出するための（ここで、前記Ｓがユーザとディスプレースクリーンとの距離であり、前記Ｈが調整済みの画像の高さであり、前記ｎの範囲が［３．５，５］である）算出サブモジュール１３２１と、
前記画像の所定のアスペクト比および前記調整済みの画像の高さに基づき、前記調整済みの画像の幅を特定するための第１の特定サブモジュール１３２２と、を含む。
【０１０７】
他の実施例において、図１６に示すように、サイズ特定モジュール１３２は、
ユーザにより予め設定された縮小・拡大比例、及び前記画像の本来の高さ及び幅に基づき、前記ディスプレースクリーンにおける調整済みの画像の高さ及び幅を特定するための第２の特定サブモジュール１３２３を含む。
【０１０８】
一実施例において、図１３に示すように、上記の装置はさらに、
撮像された画像における前記ユーザの位置に基づき、前記ユーザと前記ディスプレースクリーンとの、センタリング、左寄せ、右寄せを含む相対方位を特定するための方位特定モジュール１３４を含む。
【０１０９】
前記表示制御モジュール１３３は、さらに、前記調整済みのサイズに応じて、ディスプレースクリーンにおける前記相対方位に対応する表示領域において前記画像を表示するために用いられる。
【０１１０】
他の実施例において、図１３に示すように、上記の装置はさらに方位特定モジュール１３４を含む。
【０１１１】
前記方位特定モジュール１３４は、前記ディスプレースクリーンが存在する空間における少なくとも一つの他のデバイスから、前記少なくとも一つの他のデバイスにより採取された前記デバイスと前記ユーザとの距離を取得するために用いられる。前記少なくとも一つの他のデバイスは、前記空間における異なる方位に固定し位置して、前記ユーザから発信された無線信号の強度をモニタリングすることにより前記ユーザとの距離を特定する。前記方位特定モジュール１３４は、前記ユーザと前記ディスプレースクリーンとの距離、及び前記ユーザと前記少なくとも一つの他のデバイスとの距離に基づき、前記ユーザと前記ディスプレースクリーンとの、センタリング、左寄せ、右寄せを含む相対方位を特定する。
【０１１２】
前記表示制御モジュール１３３は、さらに、前記調整済みのサイズに応じて、ディスプレースクリーンにおける前記相対方位に対応する表示領域において前記画像を表示するために用いられる。
【０１１３】
一実施例において、図１７に示すように、上記の装置における表示制御モジュール１３３は、
調整済みのサイズと前記画像のオリジナルサイズとの比例に応じて、前記画像に対し均等比例サンプリングを行うためのサンプリングサブモジュール１３３１と、
前記相対方位に対応する表示領域において、前記調整済みの画像の開始行、開始列、終了行及び終了列を特定するための第３の特定サブモジュール１３３２と、
前記開始行、開始列、終了行及び終了列に従って画像走査を行うことにより、調整済みの画像を表示するための走査表示サブモジュール１３３３と、を含む。
【０１１４】
一実施例において、サイズ特定モジュール１３２は、さらに、前記調整済みのサイズに応じて、ディスプレースクリーンにおいて前記画像を表示した後、前記ユーザとディスプレースクリーンとの距離が所定の閾値以上であり、且つ、所定の時間持続したとモニタリングした場合、前記画像のオリジナルサイズを復元させるために用いられる。
【０１１５】
相応に、表示制御モジュール１３３は、ディスプレースクリーンにおいて前記画像のオリジナルサイズに応じて表示を行うために用いられる。
【０１１６】
本発明の実施例はさらに表示画像の調整装置を提供し、
プロセッサと、
プロセッサにより実行可能な指令を記憶するためのメモリと、を含み、
前記プロセッサは、
ディスプレースクリーンの前に位置するユーザとディスプレースクリーンとの距離をモニタリングし、
前記ユーザとディスプレースクリーンとの距離が所定の閾値より小さいとモニタリングした場合、前記距離の大きさに基づいて前記ディスプレースクリーンにおける調整済みの画像のサイズを特定する、又は、ユーザにより予め設定されたパラメータに応じて、前記ディスプレースクリーンにおける調整済みの画像のサイズを特定し、
前記調整済みのサイズに応じて、ディスプレースクリーンにおいて前記画像を表示する。
【０１１７】
図１８は例示的な実施例における表示画像の調整装置１８００に適用するブロック図である。例えば、装置１８００は携帯電話、コンピュータ、デジタルブロードキャスト端末、メッセージ受発信手段、ゲームコンソール、タブレットデバイス、医療機器、フィットネス機器、パーソナルデジタルアシスタントであってもよい。
【０１１８】
図１８を参照して、装置１８００は、プロセッサアセンブリ１８０２、メモリ１８０４、電源アセンブリ１８０６、マルチメディアアセンブリ１８０８、オーディオアセンブリ１８１０、入力／出力（Ｉ／Ｏ）インターフェイス１８１２、センサアセンブリ１８１４、及び通信アセンブリ１８１６のような一つ以上のアセンブリを含んでよい。
【０１１９】
プロセッサアセンブリ１８０２は、一般的には装置１８００の全体の操作を制御するものであり、例えば、表示、電話呼び出し、データ通信、カメラ操作、及び記録操作と関連する操作を制御する。プロセッサアセンブリ１８０２は、一つ以上のプロセッサ１８２０を含み、これらによって命令を実行することにより、上記の方法の全部、或は一部のステップを実現するようにしてもよい。なお、プロセッサアセンブリ１８０２は、一つ以上のモジュールを含み、これらによってプロセッサアセンブリ１８０２と他のアセンブリの間のインタラクションを容易にするようにしてもよい。例えば、プロセッサアセンブリ１８０２は、マルチメディアモジュールを含み、これらによってマルチメディアアセンブリ１８０８とプロセッサアセンブリ１８０２の間のインタラクションを容易にするようにしてもよい。
【０１２０】
メモリ１８０４は各種類のデータを記憶することにより装置１８００の操作を支援するように構成される。これらのデータの例は装置１８００において操作されるいずれのアプリケーションプログラム又は方法の命令、連絡対象データ、電話帳データ、メッセージ、画像、ビデオ等を含む。メモリ１８０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクである。
【０１２１】
電源アセンブリ１８０６は、装置１８００の多様なアセンブリに電力を供給する。電源アセンブリ１８０６は、電源管理システム、一つ以上の電源、及び装置１８００のための電力の生成、管理及び割り当てに関連する他のアセンブリを含んでもよい。
【０１２２】
マルチメディアアセンブリ１８０８は、前記装置１８００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ１８０８は、一つのフロントカメラ、及び／又はリアーカメラを含む。装置１８００が、例えば撮影モード、或はビデオモード等の操作モードにある場合、フロントカメラ、及び／又はリアーカメラは外部からマルチメディアデータを受信できる。フロントカメラとリアーカメラのそれぞれは、一つの固定型の光レンズ系、或は可変焦点距離と光学ズーム機能を有するものであってもよい。
【０１２３】
オーディオアセンブリ１８１０は、オーディオ信号をインターフェースするように構成されてもよい。例えば、オーディオアセンブリ１８１０は、一つのマイク（ＭＩＣ）を含み、装置１８００、例えば呼出しモード、記録モード、及び音声認識モード等の操作モードにある場合、マイクは外部のオーディオ信号を受信することができる。受信されたオーディオ信号は、さらにメモリ１８０４に記憶されたり、通信アセンブリ１８１６を介して送信されたりされる。上記の実施例において、オーディオアセンブリ１８１０は、オーディオ信号を出力するための一つのスピーカーをさらに含む。
【０１２４】
入力／出力（Ｉ／Ｏ）インターフェイス１８１２は、プロセッサアセンブリ１８０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１２５】
センサアセンブリ１８１４は、装置１８００に各方面の状態に対する評価を提供するための一つ以上のセンサを含む。例えば、センサアセンブリ１８１４は、装置１８００のＯＮ／ＯＦＦ状態、装置１８００のディスプレイとキーパッドのようなアセンブリの相対的な位置決めを検出できる。また、例えば、センサアセンブリ１８１４は、装置１８００、或は装置１８００の一つのアセンブリの位置変化、ユーザと装置１８００とが接触しているか否か、装置１８００の方位、又は加速／減速、装置１８００の温度の変化を検出できる。センサアセンブリ１８１４は、何れの物理的接触がない状態にて付近の物体の存在を検出するための近接センサを含んでもよい。センサアセンブリ１８１４は、撮影アプリケーションに適用するため、ＣＭＯＳ、又はＣＣＤ図像センサのような光センサを含んでもよい。上記の実施例において、当該センサアセンブリ１８１４は、加速度センサ、ジャイロスコープセンサ、磁気センサ、圧力センサ、及び温度センサをさらに含んでもよい。
【０１２６】
通信アセンブリ１８１６は、装置１８００と他の機器の間に有線、又は无線形態の通信を提供する。装置１８００は、例えばＷｉＦｉ、２Ｇ、３Ｇ、或はこれらの組み合わせのような、通信規格に基づいた无線ネットワークに接続されてもよい。一つの例示的な実施例において、通信アセンブリ１８１６は、放送チャンネルを介して外部の放送管理システムからの放送信号、又は放送に関連する情報を受信する。一つの例示的な実施例において、前記通信アセンブリ１８１６は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ）技術、他の技術に基づいて実現できる。
【０１２７】
例示的な実施例において、装置１８００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【０１２８】
例示的な実施例において、さらに、命令を含む不揮発的なコンピュータで読み取り可能な記憶媒体、例えば命令を含むメモリ１８０４を提供しており、装置１８００のプロセッサ１８２０により上記命令を実行して上記方法を実現する。例えば、前記不揮発的なコンピュータで読み取り可能な記憶媒体は、ＲＯＭ、ＲＡＭ（Ｒａｎｄｏｍ−Ａｃｃｅｓｓ  Ｍｅｍｏｒｙ）、ＣＤ−ＲＯＭ（Ｃｏｍｐａｃｔ  Ｄｉｓｃ  ＲＯＭ）、磁気テープ、フロッピーディスク、光データ記憶デバイス等である。
【０１２９】
不揮発的なコンピュータで読み取り可能な記憶媒体であって、前記記憶媒体における命令がモバイル端末のプロセッサにより実行される場合、モバイル端末が表示画像の調整方法を実行できる。前記方法は、
ディスプレースクリーンの前に位置するユーザとディスプレースクリーンとの距離をモニタリングするステップと、
前記ユーザとディスプレースクリーンとの距離が所定の閾値より小さいとモニタリングした場合、前記距離の大きさに基づいて前記ディスプレースクリーンにおける調整済みの画像のサイズを特定する、又は、ユーザにより予め設定されたパラメータに応じて、前記ディスプレースクリーンにおける調整済みの画像のサイズを調整するステップと、
前記調整済みのサイズに応じて、ディスプレースクリーンにおいて前記画像を表示するステップと、を含む。
【０１３０】
当業者は、本明細書に開示された発明の詳細を考慮し、実施することにより、本発明の他の実施方案を容易に想定することができる。本出願は、本発明のいかなる変形、用途、又は適応的な変化を含むことを目的としており、いかなる変形、用途、又は適応的な変化は、本発明の一般原理に基づいて、且つ本開示において公開されていない本技術分野においての公知常識又は慣用技術手段を含む。明細書及び実施例は、例示的なものを開示しており、本発明の保護範囲と主旨は、特許請求の範囲に記述される。
【０１３１】
本発明は、上記において開示された構成又は図面に示した構造に限定されるものではなく、本発明の範囲内であれば、様々な補正又は変更を行うことができる。本発明の範囲は、特許請求の範囲により制限される。
【図１】
2018502531.tif 000003
【図２】
2018502531.tif 000004
【図３】
2018502531.tif 000005
【図４】
2018502531.tif 000006
【図５】
2018502531.tif 000007
【図６】
2018502531.tif 000008
【図７】
2018502531.tif 000009
【図８】
2018502531.tif 000010
【図９】
2018502531.tif 000011
【図１０】
2018502531.tif 000012
【図１１】
2018502531.tif 000013
【図１２】
2018502531.tif 000014
【図１３】
2018502531.tif 000015
【図１４】
2018502531.tif 000016
【図１５】
2018502531.tif 000017
【図１６】
2018502531.tif 000018
【図１７】
2018502531.tif 000019
【図１８】
2018502531.tif 000020
【手続補正書】
【提出日】平成28年2月22日(2016.2.22)
【手続補正１】
【補正対象書類名】特許請求の範囲
【補正対象項目名】全文
【補正方法】変更
【補正の内容】
【特許請求の範囲】
【請求項１】
ディスプレースクリーンの前に位置するユーザとディスプレースクリーンとの距離をモニタリングするステップと、
前記ユーザとディスプレースクリーンとの距離が所定の閾値より小さいとモニタリングした場合、前記距離の大きさに基づいて前記ディスプレースクリーンにおける調整済みの画像のサイズを特定する、又は、ユーザにより予め設定されたパラメータに応じて、前記ディスプレースクリーン上的調整済みの画像のサイズを特定するステップと、
前記調整済みのサイズに応じて、ディスプレースクリーンにおいて前記画像を表示するステップと、を含む
ことを特徴とする表示画像の調整方法。
【請求項２】
ユーザとディスプレースクリーンとの距離モニタリングするステップは、
前記ユーザを撮影して、撮像された画像に基づいて前記ユーザとディスプレースクリーンとの距離を特定する方式と、
前記ユーザから発信された無線信号をモニタリングして、前記無線信号の強度に基づき、前記ユーザとディスプレースクリーンとの距離を特定する方式と、のうちの一つ又は複数を含む
ことを特徴とする請求項１に記載の方法。
【請求項３】
前記距離の大きさに基づいて前記ディスプレースクリーンにおける調整済みの画像のサイズを特定するステップは、
Ｓ＝ｎ＊Ｈで前記調整済みの画像の高さを算出するステップと、
（ここで、前記Ｓはユーザとディスプレースクリーンとの距離であり、前記Ｈは調整済みの画像の高さであり、前記ｎの範囲は［３．５，５］である）
前記画像の所定のアスペクト比と前記調整済みの画像の高さに基づき、前記調整済みの画像の幅を特定するステップと、を含む
ことを特徴とする請求項１に記載の方法。
【請求項４】
ユーザにより予め設定されたパラメータに応じて、前記ディスプレースクリーンにおける調整済みの画像のサイズを特定するステップは、
ユーザにより予め設定された縮小・拡大比例、及び前記画像のオリジナル高さおよび幅に基づき、前記ディスプレースクリーンにおける調整済みの画像の高さ及び幅を特定するステップを含む
ことを特徴とする請求項１に記載の方法。
【請求項５】
前記ユーザを撮影し、撮像された画像に基づいて前記ユーザとディスプレースクリーンとの距離を特定する場合、前記方法はさらに、
撮像された画像における前記ユーザの位置に基づき、前記ユーザと前記ディスプレースクリーンとの、センタリング、左寄せ、右寄せを含む相対方位を特定するステップを含んでおり、
前記調整済みのサイズに応じて、ディスプレースクリーンにおいて前記画像を表示するステップは、
前記調整済みのサイズに応じて、ディスプレースクリーンにおける前記相対方位に対応する表示領域において、前記画像を表示するステップを含む
ことを特徴とする請求項２に記載の方法。
【請求項６】
前記ユーザから発信された無線信号をモニタリングして、前記無線信号の強度に応じて、前記ユーザとディスプレースクリーンとの距離を特定する場合、前記方法はさらに、
前記ディスプレースクリーンが存在する空間において異なる方位に固定され、且つ前記ユーザから発信された無線信号の強度をモニタリングすることによって前記ユーザとの距離を特定する少なくとも一つの他のデバイスから、前記少なくとも一つの他のデバイスにより採取された前記デバイスと前記ユーザとの距離を取得するステップと、
前記ユーザと前記ディスプレースクリーンとの距離、及び前記ユーザと前記少なくとも一つの他のデバイスとの距離に基づき、前記ユーザと前記ディスプレースクリーンとの、センタリング、左寄せ、右寄せを含む相対方位を特定するステップと、を含んでおり、
前記調整済みのサイズに応じて、ディスプレースクリーンにおいて前記画像を表示するステップは、
前記調整済みのサイズに応じて、ディスプレースクリーンにおける前記相対方位に対応する表示領域において、前記画像を表示するステップを含む
ことを特徴とする請求項２に記載の方法。
【請求項７】
前記調整済みのサイズに応じて、ディスプレースクリーンにおける前記相対位置に対応する表示領域において、前記画像を表示するステップは、
前記調整済みの画像のサイズとオリジナルサイズとの比例に応じて、前記画像に対し均等比例サンプリングを行うステップと、
前記相対方位に対応する表示領域内に、前記調整済みの画像の開始行、開始列、終了行及び終了列を特定するステップと、
前記開始行、開始列、終了行及び終了列に応じて、画像走査を行うことによって、調整済みの画像を表示するステップと、を含む
ことを特徴とする請求項５又は６に記載の方法。
【請求項８】
前記調整済みのサイズに応じて、ディスプレースクリーンにおいて前記画像を表示した後、さらに、
前記ユーザとディスプレースクリーンとの距離が所定の閾値以上であり、且つ、所定の時間持続したとモニタリングした場合、前記画像のオリジナルサイズを復元させると共に前記ディスプレースクリーンにおいて表示を行うステップを含む
ことを特徴とする請求項１〜６のいずれか１項に記載の方法。
【請求項９】
ディスプレースクリーンの前に位置するユーザとディスプレースクリーンとの距離をモニタリングするための距離モニタリングモジュールと、
前記ユーザとディスプレースクリーンとの距離が所定の閾値より小さいとモニタリングした場合、前記距離の大きさに基づいて前記ディスプレースクリーンにおける調整済みの画像のサイズを特定する、又は、ユーザにより予め設定されたパラメータに応じて、前記ディスプレースクリーン上的調整済みの画像のサイズを特定するためのサイズ特定モジュールと、
前記調整済みのサイズに応じて、ディスプレースクリーンにおいて前記画像を表示する表示制御モジュールと、を含む
ことを特徴とする表示画像の調整装置。
【請求項１０】
前記距離モニタリングモジュールは、
前記ユーザを撮影し、撮像された画像に基づいて前記ユーザとディスプレースクリーンとの距離を特定するための撮像サブモジュールと、
前記ユーザから発信された無線信号をモニタリングして、前記無線信号の強度に応じて、前記ユーザとディスプレースクリーンとの距離を特定するための無線信号モニタリングサブモジュールと、のうちの一つ又は複数を含む
ことを特徴とする請求項９に記載の装置。
【請求項１１】
前記サイズ特定モジュールは、
Ｓ＝ｎ＊Ｈで前記調整済みの画像の高さを算出するための算出サブモジュールと、
（ここで、前記Ｓはユーザとディスプレースクリーンとの距離であり、前記Ｈは調整済みの画像の高さであり、前記ｎの範囲は［３．５，５］である）
前記画像の所定のアスペクト比と前記調整済みの画像の高さに基づき、前記調整済みの画像の幅を特定するための第１の特定サブモジュールと、を含む
ことを特徴とする請求項９に記載の装置。
【請求項１２】
前記サイズ特定モジュールは、
ユーザにより予め設定された縮小・拡大比例、及び前記画像の本来の高さ及び幅に基づき、前記ディスプレースクリーンにおける調整済みの画像の高さ及び幅を特定するための第２の特定サブモジュールを含む
ことを特徴とする請求項９に記載の装置。
【請求項１３】
撮像された画像における前記ユーザの位置に基づき、前記ユーザと前記ディスプレースクリーンとの、センタリング、左寄せ、右寄せを含む相対方位を特定するための前記方位特定モジュールをさらに含み、
前記表示制御モジュールは、さらに、前記調整済みのサイズに応じて、ディスプレースクリーンにおける前記相対方位に対応する表示領域において前記画像を表図するために用いられる
ことを特徴とする請求項１０に記載の装置。
【請求項１４】
前記ディスプレースクリーンが存在する空間において異なる方位に固定され、且つ、前記ユーザから発信された無線信号の強度をモニタリングすることにより前記ユーザとの距離を特定する少なくとも一つの他のデバイスから、前記少なくとも一つの他のデバイスにより採取された前記デバイスと前記ユーザとの距離を取得し、前記ユーザと前記ディスプレースクリーンとの距離、及び前記ユーザと前記少なくとも一つの他のデバイスとの距離に基づき、前記ユーザと前記ディスプレースクリーンとの、センタリング、左寄せ、右寄せを含む相対方位を特定するための前記方位特定モジュールを更に含み、
前記表示制御モジュールは、更に、前記調整済みのサイズに応じてディスプレースクリーンにおける前記相対方位に対応する表示領域において前記画像を表示するために用いられる
ことを特徴とする請求項１０に記載の装置。
【請求項１５】
前記表示制御モジュールは、
前記調整済みの画像のサイズとオリジナルサイズとの比例に応じて、前記画像に対し均等比例サンプリングを行うためのサンプリングサブモジュールと、
前記相対方位に対応する表示領域内に、前記調整済みの画像の開始行、開始列、終了行及び終了列を特定するための第３の特定サブモジュールと、
前記開始行、開始列、終了行及び終了列に応じて、画像走査を行うことによって調整済みの画像を表示するための走査表示サブモジュールとを含む
ことを特徴とする請求項１３または１４に記載の装置。
【請求項１６】
前記サイズ特定モジュールは、さらに、前記調整済みのサイズに応じて、ディスプレースクリーンにおいて前記画像を表示した後、前記ユーザとディスプレースクリーンとの距離が所定の閾値以上であり、且つ、所定の時間持続したとモニタリングした場合、前記画像のオリジナルサイズを復元させるために用いられ、
前記表示制御モジュールは、ディスプレースクリーンにおいて前記画像のオリジナルサイズに応じて表示を行うために用いられる
ことを特徴とする請求項９〜１４のいずれか１項に記載の装置。
【請求項１７】
プロセッサと
プロセッサにより実行可能な指令を記憶するためのメモリと、を含み、
前記プロセッサは、
ディスプレースクリーンの前に位置するユーザとディスプレースクリーンとの距離をモニタリングし、
前記ユーザとディスプレースクリーンとの距離が所定の閾値より小さいとモニタリングした場合、前記距離の大きさに基づいて前記ディスプレースクリーンにおける調整済みの画像のサイズを特定する、又は、ユーザにより予め設定されたパラメータに応じて、前記ディスプレースクリーンにおける調整済みの画像のサイズを特定し、
前記調整済みのサイズに応じて、ディスプレースクリーンにおいて前記画像を表示する
ことを特徴とする表示画像の調整装置。
【請求項１８】
プロセッサに実行されることにより、請求項１から請求項８のいずれかに記載の方法を実現することを特徴とするプログラム。
【請求項１９】
請求項１８に記載のプログラムが記録された記録媒体。
【手続補正２】
【補正対象書類名】明細書
【補正対象項目名】全文
【補正方法】変更
【補正の内容】
【発明の詳細な説明】
【相互参照】
【０００１】
本願は、出願番号がＣＮ２０１５１０６４５５３８．２であって、出願日が２０１５年１０月８日である中国特許出願に基づいて優先権を主張し、当該中国特許出願のすべての内容を本願に援用する。
【技術分野】
【０００２】
本発明はスマートディスプレーの技術分野に関し、特に、表示画像の調整方法及びその装置、プログラム及び記録媒体に関する。
【背景技術】
【０００３】
テレビを見ることは視聴距離及び視聴角度について要求があるので、距離及び角度が不適な場合には、目の疲労を容易に起こしたり、ユーザの視聴体験に悪影響を与えたりする恐れはある。
【０００４】
現在、テレビのサイズがどんどん大きくなり、家庭用テレビのサイズが既に７０インチ以上になったため、一定の視聴距離（７〜８メートル）は要求されるようになる。しかしながら、時には、ユーザが近距離で視聴しようとしており、例えば、テレビがベッドの対向面には取り付けられている場合、最適な視聴位置（距離）は枕元であるが、ユーザがたまたまベッドに腹ばいになったりベッドのフット側に坐ったりしてテレビに比較的近い位置でテレビを見ようとしている。このようにしたら、視聴距離が近すぎて、目の回動視角も大きすぎ、目の疲労を起こし易い。
【発明の概要】
【発明が解決しようとする課題】
【０００５】
本発明の実施例は表示画像の調整方法及びその装置、プログラム及び記録媒体を提供し、前記技術案は以下の通りである。
【課題を解決するための手段】
【０００６】
本発明の実施例の第１の局面によれば、表示画像の調整方法を提供し、
ディスプレースクリーンの前に位置するユーザとディスプレースクリーンとの距離をモニタリングするステップと、
前記ユーザとディスプレースクリーンとの距離が所定の閾値より小さいとモニタリングした場合、前記距離の大きさに基づいて前記ディスプレースクリーンにおける調整済みの画像のサイズを特定する、又は、ユーザにより予め設定されたパラメータに応じて、前記ディスプレースクリーン上的調整済みの画像のサイズを特定するステップと、
前記調整済みのサイズに応じて、ディスプレースクリーンにおいて前記画像を表示するステップと、を含む。
【０００７】
上記の実施例では、ユーザとディスプレースクリーンとの距離が所定の閾値より小さいとモニタリングした場合、距離の大きさに基づいてディスプレースクリーンにおける調整済みの画像のサイズを特定する、または、ユーザにより予め設定されたパラメータに応じて、ディスプレースクリーンにおける調整済みの画像のサイズを特定する。サイズが調整された画像をディスプレースクリーンに表示する。このようなユーザの視聴距離の変化に応じて表示された画像のサイズを適応的に調整する方案は、ユーザの視聴体験を向上するとともにユーザの目の疲労を回避してユーザの視力を保護することができる。
【０００８】
一実施例において、ユーザとディスプレースクリーンとの距離モニタリングするステップは、
前記ユーザを撮影して、撮像された画像に基づいて前記ユーザとディスプレースクリーンとの距離を特定する方式と、
前記ユーザから発信された無線信号をモニタリングして、前記無線信号の強度に基づき、前記ユーザとディスプレースクリーンとの距離を特定する方式と、のうちの一つ又は複数を含む。
【０００９】
上記の実施例は、ユーザを撮影する方式及び無線信号をモニタリングする方式にて、ユーザ距離に対する正確のモニタリングを実現でき、実施の形態が様々である。
【００１０】
一実施例において、前記距離の大きさに基づいて前記ディスプレースクリーンにおける調整済みの画像のサイズを特定するステップは、
Ｓ＝ｎ＊Ｈで前記調整済みの画像の高さを算出するステップと、
（ここで、前記Ｓがユーザとディスプレースクリーンとの距離であり、前記Ｈが調整済みの画像の高さであり、前記ｎの範囲が［３．５，５］である）
前記画像の所定のアスペクト比と前記調整済みの画像の高さに基づき、前記調整済みの画像の幅を特定するステップと、を含む。
【００１１】
本実施例は、表示高さと比較的良い視聴距離との数値関係に基づき、調整済みの画像の高さを特定することにより、現在ユーザとディスプレースクリーンとの距離の下で、ユーザの視聴に適した画像の高さ及び幅にすることで、ユーザの視聴体験を向上し目の疲労を回避することができる。
【００１２】
一実施例において、ユーザにより予め設定されたパラメータに応じて、前記ディスプレースクリーンにおける調整済みの画像のサイズを特定するステップは、
ユーザにより予め設定された縮小・拡大比例、及び前記画像のオリジナル高さおよび幅に基づき、前記ディスプレースクリーンにおける調整済みの画像の高さ及び幅を特定するステップを含む。
【００１３】
本発明の実施例は、さらに、ユーザ自分の定義した設定に基づき、調整済みのサイズの大きさを特定し、表示された画像の大きさをユーザの要求にもっと接近させて、ユーザによる個性化を満たす。
【００１４】
一実施例において、前記ユーザを撮影し、撮像された画像に基づいて前記ユーザとディスプレースクリーンとの距離を特定する場合、前記方法はさらに、
撮像された画像における前記ユーザの位置に基づき、前記ユーザと前記ディスプレースクリーンとの、センタリング、左寄せ、右寄せを含む相対方位を特定するステップを含んでおり、
前記調整済みのサイズに応じて、ディスプレースクリーンにおいて前記画像を表示するステップは、
前記調整済みのサイズに応じて、ディスプレースクリーンにおける前記相対方位に対応する表示領域において、前記画像を表示するステップを含む。
【００１５】
一実施例において、前記ユーザから発信された無線信号をモニタリングして、前記無線信号の強度に応じて、前記ユーザとディスプレースクリーンとの距離を特定する場合、前記方法はさらに、
前記ディスプレースクリーンが存在する空間において異なる方位に固定され、且つ、前記ユーザから発信された無線信号の強度をモニタリングすることによって前記ユーザとの距離を特定する少なくとも一つの他のデバイスから、前記少なくとも一つの他のデバイスにより採取された前記デバイスと前記ユーザとの距離を取得するステップと、
前記ユーザと前記ディスプレースクリーンとの距離、及び前記ユーザと前記少なくとも一つの他のデバイスとの距離に基づき、前記ユーザと前記ディスプレースクリーンとの、センタリング、左寄せ、右寄せを含む相対方位を特定するステップと、を含んでおり、
前記調整済みのサイズに応じて、ディスプレースクリーンにおいて前記画像を表示するステップは、
前記調整済みのサイズに応じて、ディスプレースクリーンにおける前記相対方位に対応する表示領域において、前記画像を表示するステップを含む。
【００１６】
上記の実施例は、画像撮像及び無線信号採取の方式を用いて、ユーザとスクリーンとの相対方位を特定し、ユーザがスクリーンにおけるセンタリング、左寄せ及び右寄せの位置にいることをよりよく特定でき、さらに、対応位置において、調整済みの画像を表示することにより、調整済みの画像をユーザのいる位置に対向させて、ユーザの目の回動角度が大きすぎることによる疲労を回避し、ユーザの視聴の快適性を向上する。
【００１７】
一実施例において、前記調整済みのサイズに応じて、ディスプレースクリーンにおける前記相対位置に対応する表示領域において、前記画像を表示するステップは、
前記調整済みの画像のサイズとオリジナルサイズとの比例に応じて、前記画像に対し均等比例サンプリングを行うステップと、
前記相対方位に対応する表示領域内に、前記調整済みの画像の開始行、開始列、終了行及び終了列を特定するステップと、
前記開始行、開始列、終了行及び終了列に応じて、画像走査を行うことによって、調整済みの画像を表示するステップと、を含む。
【００１８】
上記の実施例において、調整済みの画像の開始行、開始列、終了行及び終了列を用いて、調整済みの画像に対し走査表示を行い、現在通用するディスプレースクリーンの具体的な実施の形態を提示する。
【００１９】
一実施例において、前記調整済みのサイズに応じて、ディスプレースクリーンにおいて前記画像を表示した後、さらに、
前記ユーザとディスプレースクリーンとの距離が所定の閾値以上であり、且つ、所定の時間持続したとモニタリングした場合、前記画像のオリジナルサイズを復元させると共に前記ディスプレースクリーンにおいて表示を行うステップを含む。
【００２０】
上記の実施例は、ユーザに対し視聴位置を変更し、改めて比較的適合の視聴距離に戻す場合、画像のオリジナルサイズを復元させて表示する。このようなユーザの位置変化に応じて画像のサイズを適応的に調整する方案は、ユーザのために快適な視聴体験を提供するとともに、ユーザの視力を保護することができる。
【００２１】
本発明の実施例の第２の局面によれば、表示画像の調整装置を提供し、
ディスプレースクリーンの前に位置するユーザとディスプレースクリーンとの距離をモニタリングするための距離モニタリングモジュールと、
前記ユーザとディスプレースクリーンとの距離が所定の閾値より小さいとモニタリングした場合、前記距離の大きさに基づいて前記ディスプレースクリーンにおける調整済みの画像のサイズを特定する、又は、ユーザにより予め設定されたパラメータに応じて、前記ディスプレースクリーン上的調整済みの画像のサイズを特定するためのサイズ特定モジュールと、
前記調整済みのサイズに応じて、ディスプレースクリーンにおいて前記画像を表示する表示制御モジュールと、を含む。
【００２２】
一実施例において、前記距離モニタリングモジュールは、
前記ユーザを撮影し、撮像された画像に基づいて前記ユーザとディスプレースクリーンとの距離を特定するための撮像サブモジュールと、
前記ユーザから発信された無線信号をモニタリングして、前記無線信号の強度に応じて、前記ユーザとディスプレースクリーンとの距離を特定するための無線信号モニタリングサブモジュールと、のうちの一つ又は複数を含む。
【００２３】
一実施例において、サイズ特定モジュールは、
Ｓ＝ｎ＊Ｈで前記調整済みの画像の高さを算出するための算出サブモジュールと、
（ここで、前記Ｓがユーザとディスプレースクリーンとの距離であり、前記Ｈが調整済みの画像の高さであり、前記ｎの範囲が［３．５，５］である）
前記画像の所定のアスペクト比と前記調整済みの画像の高さに基づき、前記調整済みの画像の幅を特定するための第１の特定サブモジュールと、を含む。
【００２４】
一実施例において、サイズ特定モジュールは、
ユーザにより予め設定された縮小・拡大比例、及び前記画像の本来の高さ及び幅に基づき、前記ディスプレースクリーンにおける調整済みの画像の高さ及び幅を特定するための第２の特定サブモジュールを含む。
【００２５】
一実施例において、上記の装置は、撮像された画像における前記ユーザの位置に基づき、前記ユーザと前記ディスプレースクリーンとの、センタリング、左寄せ、右寄せを含む相対方位を特定するための前記方位特定モジュールをさらに含み、
前記表示制御モジュールは、さらに、前記調整済みのサイズに応じて、ディスプレースクリーンにおける前記相対方位に対応する表示領域において前記画像を表図するために用いられる。
【００２６】
一実施例において、上記の装置は、
前記ディスプレースクリーンが存在する空間において異なる方位に固定され、且つ、前記ユーザから発信された無線信号の強度をモニタリングすることにより前記ユーザとの距離を特定する少なくとも一つの他のデバイスから、前記少なくとも一つの他のデバイスにより採取された前記デバイスと前記ユーザとの距離を取得し、前記ユーザと前記ディスプレースクリーンとの距離、及び前記ユーザと前記少なくとも一つの他のデバイスとの距離に基づき、前記ユーザと前記ディスプレースクリーンとの、センタリング、左寄せ、右寄せを含む相対方位を特定するための前記方位特定モジュールを更に含み、
前記表示制御モジュールは、更に、前記調整済みのサイズに応じてディスプレースクリーンにおける前記相対方位に対応する表示領域において前記画像を表示するために用いられる。
【００２７】
一実施例において、前記表示制御モジュールは、
前記調整済みの画像のサイズとオリジナルサイズとの比例に応じて、前記画像に対し均等比例サンプリングを行うためのサンプリングサブモジュールと、
前記相対方位に対応する表示領域内に、前記調整済みの画像の開始行、開始列、終了行及び終了列を特定するための第３の特定サブモジュールと、
前記開始行、開始列、終了行及び終了列に応じて、画像走査を行うことによって調整済みの画像を表示するための走査表示サブモジュールとを含む。
【００２８】
一実施例において、サイズ特定モジュールは、さらに、前記調整済みのサイズに応じて、ディスプレースクリーンにおいて前記画像を表示した後、前記ユーザとディスプレースクリーンとの距離が所定の閾値以上であり、且つ、所定の時間持続したとモニタリングした場合、前記画像のオリジナルサイズを復元させるために用いられ、
前記表示制御モジュールは、ディスプレースクリーンにおいて前記画像のオリジナルサイズに応じて表示を行うために用いられる。
【００２９】
本発明の実施例の第３の局面によれば、表示画像の調整装置を提供し、
プロセッサと
プロセッサにより実行可能な指令を記憶するためのメモリと、を含み、
前記プロセッサは、
ディスプレースクリーンの前に位置するユーザとディスプレースクリーンとの距離をモニタリングし、
前記ユーザとディスプレースクリーンとの距離が所定の閾値より小さいとモニタリングした場合、前記距離の大きさに基づいて前記ディスプレースクリーンにおける調整済みの画像のサイズを特定する、又は、ユーザにより予め設定されたパラメータに応じて、前記ディスプレースクリーンにおける調整済みの画像のサイズを特定し、
前記調整済みのサイズに応じて、ディスプレースクリーンにおいて前記画像を表示する。
【００３０】
本発明のその他の態様は、
プロセッサに実行されることにより、前記方法を実現することを特徴とするプログラムを提供する。
【００３１】
本発明のその他の態様は、
前記プログラムが記録された記録媒体を提供する。
【発明の効果】
【００３２】
本発明の実施例で提供される技術方案は以下の有益な効果を含む。
【００３３】
本発明の実施例の提示する上記表示画像の調整方法及びその装置は、ユーザとディスプレースクリーンとの距離が所定の閾値より小さいとモニタリングした場合、ユーザの現在の距離が比較的よい視聴距離でないことが特定されると、距離の大きさに基づいてディスプレースクリーンにおける調整済みの画像のサイズを特定する、または、ユーザにより予め設定されたパラメータに応じて、ディスプレースクリーンにおける調整済みの画像のサイズを特定する。サイズが調整された画像をディスプレースクリーンに表示する。このようなユーザの視聴距離の変化に応じて表示された画像のサイズを適応的に調整する方案は、視聴体験を向上するとともに、ユーザの目の疲労を回避してユーザの視力を保護することができる。
【００３４】
以上の一般的な記述及び以下の詳細な記述は、例示のものに過ぎず、本開示を限定するものではないと理解すべきである。
【図面の簡単な説明】
【００３５】
ここでの図面は、本明細書の一部として、本発明に適切な実施例を示し、明細書と合わせて本発明の原理を解釈する。
【図１】例示的な実施例における表示画像の調整方法を示すフローチャートである。
【図２】例示的な実施例におけるステップＳ１２を示すフローチャートである。
【図３】例示的な実施例における表示画像の調整方法を示す第二つのフローチャートである。
【図４】例示的な実施例における調整済みの画像が存在する、異なる表示領域を模式的に示す図である。
【図５】例示的な実施例における調整済みの画像が存在する、異なる表示領域を模式的に示す図である。
【図６】例示的な実施例における調整済みの画像が存在する、異なる表示領域を模式的に示す図である。
【図７】例示的な実施例における表示画像の調整方法を示す第三種のフローチャートである。
【図８】例示的な実施例におけるディスプレースクリーン、ユーザ、及び他のデバイスの位置関係を示す図である。
【図９】例示的な実施例におけるステップＳ１４１を示すフローチャートである。
【図１０】例示的な実施例におけるディスプレースクリーンにおける画素配置を示す図である。
【図１１】例示的な実施例における調整済みの画像を模式的に示す図である。
【図１２】例示的な実施例におけるＬＣＤディスプレースクリーンにおいて画像をセンタリングして表示することを模式的に示す図である。
【図１３】例示的な実施例における表示画像の調整装置を示すブロック図である。
【図１４】例示的な実施例における距離モニタリングモジュール１３１を示すブロック図である。
【図１５】例示的な実施例におけるサイズ特定モジュール１３２を示すブロック図である。
【図１６】例示的な実施例におけるサイズ特定モジュール１３２を示す他のブロック図である。
【図１７】例示的な実施例における表示制御モジュール１３３を示すブロック図である。
【図１８】例示的な実施例における表示画像の調整装置を示すブロック図である。
【発明を実施するための形態】
【００３６】
ここで、図面に示された例示的な実施例を詳細に説明する。以下の内容において、図面を言及するとき、特に説明しない限り、異なる図面における同じ数字が同一または同等の要素を示す。以下の例示的な実施例に記載の実施の形態は、本発明と一致するあらゆる実施の形態を代表するわけではない。逆に、それらは、添付された特許請求の範囲に詳細に記載される、本発明の一部の方面と一致する装置及び方法の例にすぎない。
【００３７】
図１は例示的な実施例における表示画像の調整方法を示すフローチャートである。図１に示すように、該方法は下記のステップを含む。
【００３８】
ステップＳ１１において、ディスプレースクリーンの前に位置するユーザとディスプレースクリーンとの距離をモニタリングする。前記ユーザとディスプレースクリーンとの距離が所定の閾値より小さいとモニタリングした場合、Ｓ１２またはＳ１３を実行する。
【００３９】
ステップＳ１２において、距離の大きさに基づいてディスプレースクリーンにおける調整済みの画像のサイズを特定する。
【００４０】
ステップＳ１３において、ユーザにより予め設定されたパラメータに応じて、ディスプレースクリーンにおける調整済みの画像のサイズを特定する。
【００４１】
ステップＳ１４において、調整済みのサイズに応じて、ディスプレースクリーンにおいて画像を表示する。
【００４２】
本発明の実施例に係わる上記方法は、様々な再生端末、例えば、テレビ、コンピュータディスプレーなどに適用され得、映像再生機能を有する装置であればよい。本発明の実施例はこれについて限定を行わない。
【００４３】
本発明の実施例に係わる上記表示画像の調整方法は、ユーザとディスプレースクリーンとの距離が所定の閾値より小さい場合、ユーザの現在の距離が比較的良い視聴距離でないことが特定されると、距離の大きさに基づいてディスプレースクリーンにおける調整済みの画像のサイズを特定する、または、ユーザにより予め設定されたパラメータに応じて、ディスプレースクリーンにおける調整済みの画像のサイズを特定することによって、ディスプレースクリーンにおいてサイズが調整された画像を表示する。このようなユーザの視聴距離の変化に応じて画像のサイズを適応的に調整する方案は、視聴体験を向上するとともにユーザの目の疲労を回避してユーザの視力を保護することができる。
【００４４】
以下、上記の各ステップについて別々に説明を行う。
【００４５】
一実施例において、上記のステップＳ１１において、ユーザとディスプレースクリーンとの距離モニタリングするステップは、下記の形態のうちの一つまたは複数を含む。
【００４６】
ユーザを撮影して、撮像された画像に基づいてユーザとディスプレースクリーンとの距離を特定する。
【００４７】
ユーザから発信された無線信号をモニタリングして、無線信号の強度に応じて、ユーザとディスプレースクリーンとの距離を特定する。
【００４８】
実施する際に、再生端末に画像採取装置、例えば、カメラヘッドなどを配置することによって、ディスプレースクリーンの前に位置するユーザを撮影し、撮像された画像に基づき、ユーザとディスプレースクリーンとの距離を正確に位置決めることができる。
【００４９】
ユーザから発信された無線信号は様々な無線信号、例えば、近距離無線通信接続信号（ブルートゥース、赤外線、ＮＦＣ、無線自動識別（ＲＦＩＤ、Ｒａｄｉｏ  Ｆｒｅｑｕｅｎｃｙ  Ｉｄｅｎｔｉｆｉｃａｔｉｏｎ）などの無線信号）、無線ＬＡＮ接続信号（例えば、ＷＩＦＩ信号）などであり得る。ユーザは、このような無線信号を発信できるデバイス、例えば、携帯電話や、スマート・ブレスレットなどのような装着可能なデバイスなどを携帯することによって、対応する無線信号を発信することができる。
【００５０】
無線信号、例えば、ブルートゥース信号、及びＷｉＦｉ信号などの強度と距離とが反比例関係にあり、即ち、強度が大きいほど距離が近くなる。このような関係に基づき、ユーザから発信された無線信号とディスプレースクリーンとの距離を算出できる。
【００５１】
無線信号の強さは信号を減衰させる距離に関わっており、具体的には、関係技術における無線信号の強度と距離との数学関係を参照して演算を行うことができる。
【００５２】
上記の二つの方式を同時に使用することもできるし、そのうちの一種を選択して使用することもできる。二つの方式を同時に使用する場合、両者の特定した距離値を平均する、または、二つの方式の異なる精度を加重平均することによって、ユーザとディスプレースクリーンとの距離を得る。
【００５３】
ディスプレースクリーンにおける表示画像がユーザの位置の頻繁の変化に従ってユーザの視聴に影響を与えることを回避するために、本発明の実施例のＳ１２において、前記ユーザとディスプレースクリーンとの距離が所定の閾値より小さいことがモニタリングされてこそ、はじめてディスプレースクリーンにおける表示画像サイズを調整する方案をトリガーして実行する。この閾値はディスプレースクリーンの大きさに応じて決められるのであり、一般的にはディスプレースクリーンの大きさが比較的良い視聴距離に関わり、スクリーンの大きさに対応する比較的良い視聴距離に基づいて予め設定され得るからである。
【００５４】
一実施例において、ステップＳ１２において、距離の大きさに基づいてディスプレースクリーンにおける調整済みの画像のサイズを特定する。図２に示すように、ステップＳ２１〜Ｓ２２を含む。
【００５５】
ステップＳ２１において、Ｓ＝ｎ＊Ｈで前記調整済みの画像の高さを算出する。ここで、Ｓがユーザとディスプレースクリーンとの距離であり、Ｈが調整済みの画像の高さであり、ｎの範囲が［３．５，５］である。
【００５６】
上記のように、一般的には、比較的良い視聴距離が表示高さの３．５〜５倍（具体的な数値はインチ毎の有する画素の数（ＰＰＩ，ｐｉｘｅｌｓｐｅｒｉｎｃｈ）に応じて決められ得、ＰＰＩが高いほどやや小さい値を取り、ＰＰＩ低いほどやや大きい値を取ることができる）であるため、ユーザとディスプレースクリーンとの距離に基づいて比較的適合の表示高さが逆に推測できる。
【００５７】
ステップＳ２２において、画像の所定のアスペクト比及び調整済みの画像の高さに基づき、調整済みの画像の幅を特定する。
【００５８】
画像のいずれも予め設定されたアスペクト比を有し、本来の視聴效果を保持し、官能的な画像変形を発生させないために、本来の所定のアスペクト比及び調整済みの高さに応じて、整済みの画像の幅を得ることができる。
【００５９】
一実施例において、ステップＳ１３において、ユーザにより予め設定されたパラメータに応じて、前記ディスプレースクリーンにおける調整済みの画像のサイズを特定するステップは、
ユーザにより予め設定された縮小・拡大比例、及び前記画像の本来の高さ及び幅に基づき、前記ディスプレースクリーンにおける調整済みの画像の高さ及び幅を特定する、ステップを含む。
【００６０】
このような実施の形態において、二つの方式はある。一つの方式としては、ユーザが予め縮小・拡大比例のパラメータを設定して再生端末中に格納し、一旦ユーザとディスプレースクリーンとの距離が所定の閾値より小さい状況が出ると、格納されたユーザにより予め設定された縮小・拡大比例に従って演算をお行ってディスプレースクリーンにおける調整済みの画像の高さ及び幅を得る。
【００６１】
他の方式としては、ユーザとディスプレースクリーンとの距離が所定の閾値より小さいとモニタリングした場合、ユーザにプロンプト情報を発信し、ユーザに現在表示画像のサイズが視聴に不適であることをプロンプトするとともに、ユーザがリアルタイムに選択できるように、ユーザにインタラクティブ・インターフェース、例えば、縮小・拡大比例の設定オプションを提供する。この場合、更にユーザにより設定された縮小・拡大比例に応じて調整済みの画像のサイズを特定する。
【００６２】
一実施例において、ステップＳ１１においてユーザを撮影し、撮像された画像に基づいてユーザとディスプレースクリーンとの距離を特定する場合、上記方法はさらに次のステップを含み得る。
【００６３】
撮像された画像におけるユーザの位置に基づき、ユーザとディスプレースクリーンとの、センタリング、左寄せ、右寄せを含む相対方位を特定する。
【００６４】
上記のステップはＳ１２またはＳ１３と相互に独立的に実行されるのであり、その前後順序に対して限定しない。
【００６５】
相応に、上記のステップＳ１４において、図３に示すように、調整済みのサイズに応じて、ディスプレースクリーンにおいて画像を表示するが、実施例では、下記ステップＳ１４１である。
【００６６】
ステップＳ１４１において、調整済みのサイズに応じて、ディスプレースクリーンにおける相対方位に対応する表示領域において、画像を表示する。
【００６７】
例を挙げて説明すれば、撮像された画像のうち、ユーザ以外に、再生装置が存在する空間における他の品物を更に含み、これらの品物を参照物として、ユーザとディスプレースクリーンとの相対方位を特定することができる。例えば、寝室環境の場合、再生装置のディスプレースクリーンの直前にベッドがあり、左側に洋服だんすがあり、右側にフロアランプがあると、撮像された画像におけるユーザとこれらの参照物との位置関係に対する識別に基づき、ユーザがディスプレースクリーンに対するセンタリング、左寄せ、または右寄せであるかを特定することができる。
【００６８】
このようにして、Ｓ１４１において、特定された調整済みのサイズに応じて、ディスプレースクリーンにおけるセンタリング、左寄せまたは右寄せの表示領域において画像を表示することができる。
【００６９】
例を挙げて説明すれば、図４〜６は調整済みの画像が存在する異なる表示領域を模式的に示す図である。図４〜６において、白い背景が本来の表示領域（画像が調整される前の表示領域）を示し、灰色のブロックが調整済みの画像の表示領域を示す。
【００７０】
図４はサイズが調整された後の画像をセンタリングし表示することを模式的に示す図であり、図５はサイズが調整された後の画像を右寄せに表示することを模式的に示す図であり、図６はサイズが調整された後の画像を左寄せに表示することを模式的に示す図である。
【００７１】
図４〜６は模式図だけであり、具体的な表示位置に対し限定を行わない。
【００７２】
上記のように、ユーザとディスプレースクリーンとの相対方位に応じて、サイズが調整された画像の表示領域を特定することのメリットは、ユーザとディスプレースクリーンとの相対位置に応じて、サイズが調整された画像をセンタリングし表示したり、左寄せに表示したり、右寄せに表示したりすることができ、ユーザがディスプレースクリーンより左側の位置にいる場合、サイズが調整された画像も同様にディスプレースクリーンより右側の領域にあり、ユーザがディスプレースクリーンより右側の位置にいる場合、サイズが調整された画像も同様にディスプレースクリーンより右側の領域にあり、ユーザがスクリーンの直前にいる場合、サイズが調整された画像はディスプレースクリーンにおいてセンタリングして表示される。このようにして、ユーザは、視聴時に、目の回動角度が余り大きくなく（±１５度以内）、目の疲労を起こす恐れがなく、良好の視聴效果を保証するとともにユーザの視力を保護する。
【００７３】
他の実施例において、ステップＳ１１において前記ユーザから発信された無線信号をモニタリングして、無線信号の強度に応じて前記ユーザとディスプレースクリーンとの距離を特定した場合、図７に示すように、上記方法はさらに下記のステップＳ１６〜Ｓ１７を含み得る。
【００７４】
ステップＳ１６において、ディスプレースクリーンが存在する空間における少なくとも一つの他のデバイスから、少なくとも一つの他のデバイスにより採取されたデバイスとユーザとの間の距離を取得する。少なくとも一つの他のデバイスは、空間における異なる方位に固定され、かつ、ユーザから発信された無線信号の強度をモニタリングすることによってユーザとの距離を特定する。
【００７５】
ステップＳ１７において、ユーザとディスプレースクリーンとの距離、及び前記ユーザと少なくとも一つの他のデバイスとの間の距離に基づき、前記ユーザとディスプレースクリーンとの間の相対方位を特定する。相対方位はセンタリング、左寄せ、右寄せを含む。
【００７６】
上記のステップＳ１６及びＳ１７と、ステップ１２またはステップＳ１３とは互いに独立に実行されるのであり、前後順序に対して限定しない。
【００７７】
相応的に、上記のＳ１４において、調整済みのサイズに応じて、ディスプレースクリーンにおいて画像を表示する。図３に示すように、前記実施例は下記ステップＳ１４１である。
【００７８】
ステップＳ１４１において、調整済みのサイズに応じて、ディスプレースクリーンにおける相対方位に対応する表示領域において、画像を表示する。
【００７９】
上記のＳ１６、Ｓ１７より前に、予めディスプレースクリーンが存在する空間において、位置が固定された少なくとも一つの他のデバイスを設置し、これまたはこれらの他のデバイスが同様に無線信号発信能力を有し、周辺で同一の無線信号を発信するデバイスを走査して無線接続を作成することができる。このようにして、再生端末のディスプレースクリーンとユーザとが無線接続を行う際に、同様に、これまたはこれらの他のデバイスと無線接続を作成し、かつ、このような無線接続によって他のデバイスとユーザとの距離を算出することができる。上記のＳ１６において、再生端末はディスプレースクリーンとユーザとの間の距離を取得でき、また少なくとも一つの他のデバイスにより採取された該デバイスとユーザとの距離を取得できる。
【００８０】
したがって、Ｓ１７において、再生端末はユーザとディスプレースクリーンとの距離、及びユーザと少なくとも一つの他のデバイスとの距離に基づき、ユーザと再生端末のディスプレースクリーンとの相対方位を特定できる。
【００８１】
図８に示すように、二次元空間としては、ディスプレースクリーンと他のデバイスの位置が固定されており、ディスプレースクリーンの座標及び他のデバイスの座標が既知であり、ユーザとディスプレースクリーンとの距離、及びユーザと他のデバイスとの距離を了解すると、二次元空間におけるユーザの座標を算出でき、ユーザの座標を得たら、ユーザとディスプレースクリーンとの相対方位を特定できる。
【００８２】
参照物としての他のデバイスの数が複数（二つ以上）であると、算出されたユーザの位置がより精確になることは勿論のことである。
【００８３】
本実施例において、調整済みのサイズに応じて、ディスプレースクリーンにおける相対方位に対応する表示領域において、画像を表示する。前記実施例と類似するように、ユーザとディスプレースクリーンとの相対位置に応じて、サイズが調整された画像をセンタリングして表示したり、左寄せに表示したり、右寄せに表示したりすることができる。具体的な実施過程及び有益な効果に関しては前記実施例を参照する。
【００８４】
一実施例において、図９に示すように、上記のＳ１４１はさらにステップＳ９１〜Ｓ９３として実行され得る。
【００８５】
ステップＳ９１において、調整済みのサイズと前記画像のオリジナルサイズとの比例に応じて、画像に対して均等比例サンプリングを行なう。
【００８６】
ステップＳ９２において、相対方位に対応する表示領域において、調整済みの画像の開始行、開始列、終了行、及び終了列を特定する。
【００８７】
ステップＳ９３において、開始行、開始列、終了行及び終了列に従って画像走査を行うことによって、調整済みの画像を表示する。
【００８８】
上記のステップＳ９１において、例えば、調整済みの高さ及び幅が画像のオリジナルサイズの２／３であると、例えば、均等比例サンプリングの算法を用いられ、例えば、オリジナルサイズの２／３に従って均一サンプリングの方式にて、オリジナル画像における一部の画素を抽出し、サイズが調整された画像を形成することができる。
【００８９】
他のサンプリング方式であってもよく、表示された画像の解像度などのパラメータによる要求を参照し、適宜のサンプリング方式を使用できるということは勿論のことである。
【００９０】
画像のディスプレースクリーンでの表示方式は行列走査方式であるため、画像がディスプレースクリーンにおいて表示される開始行、開始列、終了行及び終了列を特定する必要がある。このようにして、Ｓ９３において、開始行、開始列、終了行及び終了列に従って調整済みの画像を走査し表示することができる。
【００９１】
走査方式は、複数あり得、例えば、順次走査又は飛び越し走査がある。
【００９２】
順次走査の方式とは、行毎に上から下へ順次に走査する方式である（スクリーンにおけるそれぞれの表示ユニットを点灯する）。
【００９３】
飛び越し走査の方式とは、奇数行および偶数行を別々に走査して完備の画像を得る方式であり、一般的には、奇数行を走査してから偶数行を走査する。
【００９４】
どの走査方式を用いても、ディスプレースクリーンにおけるユーザの相対方位に対応する表示領域においてサイズが調整された画像を表示できる方式であればよい。
【００９５】
一実施例において、ステップＳ１４において、調整済みのサイズに応じて、ディスプレースクリーンにおいて画像を表示した後、更に、
ユーザとディスプレースクリーンとの距離が所定の閾値以上であり、且つ、所定時間持続したことをモニタリングした場合、画像のオリジナルサイズを復元させてディスプレースクリーンにおいて表示を行うステップを含む。
【００９６】
上記の実施例は、ユーザが視聴位置を変更して改めて比較的適合の視聴距離に戻すという状況を説明対象としており、この場合には、ユーザの動作についての誤判定を回避するために、ユーザとディスプレースクリーンとの距離が変化した後、このような位置変化が所定時間持続したか否かを判定しなければならず、肯定であれば、このときユーザの視聴位置が変化したと特定して、前記Ｓ１１〜Ｓ１４に係る技術案から退出するようトリガして、画像のオリジナルサイズに戻して表示を行う。このような適応的にユーザの位置変化に応じて画像のサイズを調整する方案は、ユーザのためにより快適な視聴体験をもたらすと共にユーザの視力を保護することができる。
【００９７】
以下、一つの具体的な例を挙げて本発明の実施例の提供する表示画像の調整方法について説明を行う。
【００９８】
当該具体的な例において、液晶テレビのＬＣＤディスプレースクリーンを例としている。図１０に示すように、このようなディスプレースクリーンにおける画素配置はいずれの画素も三つのサブ画素からなる（例えば、ＲＧＢフォーマット）。仮にユーザとＬＣＤディスプレースクリーンとの距離が所定の距離より小さいとすれば、サイズが調整された画像の高さおよび幅がオリジナル画像の２／３であることが、ユーザとＬＣＤディスプレースクリーンとの距離に基づいて算出された場合、２／３の均等比例サンプリングを行って、得られた調整済みの画像が図１１に示すようである（理解に役立つために、一定の数の画素を表示しているが、実際的な画像の画素は図示より多い）。
【００９９】
図１２に示すように、ユーザとＬＣＤディスプレースクリーンとの相対方位に基づき、ユーザがディスプレースクリーンのセンタリング位置にあることを特定すると、更に、ＬＣＤディスプレースクリーンのセンタリング位置にサイズが調整された画像を表示すると共に、サイズが調整された画像表示領域の第１行および最後の行、第１列および左後の列を特定し、特定された第１行および最後の行、第１列および左後の列に基づき、液晶テレビの所定の走査方式、即ち、順次走査の方式に従い、サンプリングされた画像の画素に対し順次走査を行うことによって、ＬＣＤディスプレースクリーンにおいて画像をセンタリングして表示する。
【０１００】
図１３は例示的な実施例における表示画像の調整装置を示すブロック図である。図１０に示すように、該装置は、距離モニタリングモジュール１３１、サイズ特定モジュール１３２、および表示制御モジュール１３３を含む。
【０１０１】
該距離モニタリングモジュール１３１は、ディスプレースクリーンの前に位置するユーザとディスプレースクリーンとの距離をモニタリングするように構成されている。
【０１０２】
該サイズ特定モジュール１３２は、前記ユーザとディスプレースクリーンとの距離が所定の閾値より小さいとモニタリングした場合、前記距離の大きさに基づいて前記ディスプレースクリーンにおける調整済みの画像のサイズを特定する、又は、ユーザにより予め設定されたパラメータに応じて、前記ディスプレースクリーンにおける調整済みの画像のサイズを特定する、ように構成されている。
【０１０３】
該表示制御モジュール１３３は、前記調整済みのサイズに応じて、ディスプレースクリーンにおいて前記画像を表示するように構成されている。
【０１０４】
上記の実施例に係わる装置に関しては、各モジュールが操作を実行する具体的な方式は該方法に係る実施例において既に詳しく記載されたので、ここに、詳しく説明しない。
【０１０５】
一実施例において、図１４に示すように、距離モニタリングモジュール１３１は下記一つ又は複数のモジュールを含む。
【０１０６】
撮像サブモジュール１３１１は、前記ユーザを撮影して、撮影された画像に基づいて前記ユーザとディスプレースクリーンとの距離を特定するために用いられる。
【０１０７】
無線信号モニタリングサブモジュール１３１２は、ユーザから発信された無線信号をモニタリングして、無線信号の強度に応じて、ユーザとディスプレースクリーンとの距離を特定するために用いられる。
【０１０８】
一実施例において、図１５に示すように、サイズ特定モジュール１３２は、
Ｓ＝ｎ＊Ｈで前記調整済みの画像の高さを算出するための（ここで、前記Ｓがユーザとディスプレースクリーンとの距離であり、前記Ｈが調整済みの画像の高さであり、前記ｎの範囲が［３．５，５］である）算出サブモジュール１３２１と、
前記画像の所定のアスペクト比および前記調整済みの画像の高さに基づき、前記調整済みの画像の幅を特定するための第１の特定サブモジュール１３２２と、を含む。
【０１０９】
他の実施例において、図１６に示すように、サイズ特定モジュール１３２は、
ユーザにより予め設定された縮小・拡大比例、及び前記画像の本来の高さ及び幅に基づき、前記ディスプレースクリーンにおける調整済みの画像の高さ及び幅を特定するための第２の特定サブモジュール１３２３を含む。
【０１１０】
一実施例において、図１３に示すように、上記の装置はさらに、
撮像された画像における前記ユーザの位置に基づき、前記ユーザと前記ディスプレースクリーンとの、センタリング、左寄せ、右寄せを含む相対方位を特定するための方位特定モジュール１３４を含む。
【０１１１】
前記表示制御モジュール１３３は、さらに、前記調整済みのサイズに応じて、ディスプレースクリーンにおける前記相対方位に対応する表示領域において前記画像を表示するために用いられる。
【０１１２】
他の実施例において、図１３に示すように、上記の装置はさらに方位特定モジュール１３４を含む。
【０１１３】
前記方位特定モジュール１３４は、前記ディスプレースクリーンが存在する空間における少なくとも一つの他のデバイスから、前記少なくとも一つの他のデバイスにより採取された前記デバイスと前記ユーザとの距離を取得するために用いられる。前記少なくとも一つの他のデバイスは、前記空間における異なる方位に固定し位置して、前記ユーザから発信された無線信号の強度をモニタリングすることにより前記ユーザとの距離を特定する。前記方位特定モジュール１３４は、前記ユーザと前記ディスプレースクリーンとの距離、及び前記ユーザと前記少なくとも一つの他のデバイスとの距離に基づき、前記ユーザと前記ディスプレースクリーンとの、センタリング、左寄せ、右寄せを含む相対方位を特定する。
【０１１４】
前記表示制御モジュール１３３は、さらに、前記調整済みのサイズに応じて、ディスプレースクリーンにおける前記相対方位に対応する表示領域において前記画像を表示するために用いられる。
【０１１５】
一実施例において、図１７に示すように、上記の装置における表示制御モジュール１３３は、
調整済みのサイズと前記画像のオリジナルサイズとの比例に応じて、前記画像に対し均等比例サンプリングを行うためのサンプリングサブモジュール１３３１と、
前記相対方位に対応する表示領域において、前記調整済みの画像の開始行、開始列、終了行及び終了列を特定するための第３の特定サブモジュール１３３２と、
前記開始行、開始列、終了行及び終了列に従って画像走査を行うことにより、調整済みの画像を表示するための走査表示サブモジュール１３３３と、を含む。
【０１１６】
一実施例において、サイズ特定モジュール１３２は、さらに、前記調整済みのサイズに応じて、ディスプレースクリーンにおいて前記画像を表示した後、前記ユーザとディスプレースクリーンとの距離が所定の閾値以上であり、且つ、所定の時間持続したとモニタリングした場合、前記画像のオリジナルサイズを復元させるために用いられる。
【０１１７】
相応に、表示制御モジュール１３３は、ディスプレースクリーンにおいて前記画像のオリジナルサイズに応じて表示を行うために用いられる。
【０１１８】
本発明の実施例はさらに表示画像の調整装置を提供し、
プロセッサと、
プロセッサにより実行可能な指令を記憶するためのメモリと、を含み、
前記プロセッサは、
ディスプレースクリーンの前に位置するユーザとディスプレースクリーンとの距離をモニタリングし、
前記ユーザとディスプレースクリーンとの距離が所定の閾値より小さいとモニタリングした場合、前記距離の大きさに基づいて前記ディスプレースクリーンにおける調整済みの画像のサイズを特定する、又は、ユーザにより予め設定されたパラメータに応じて、前記ディスプレースクリーンにおける調整済みの画像のサイズを特定し、
前記調整済みのサイズに応じて、ディスプレースクリーンにおいて前記画像を表示する。
【０１１９】
図１８は例示的な実施例における表示画像の調整装置１８００に適用するブロック図である。例えば、装置１８００は携帯電話、コンピュータ、デジタルブロードキャスト端末、メッセージ受発信手段、ゲームコンソール、タブレットデバイス、医療機器、フィットネス機器、パーソナルデジタルアシスタントであってもよい。
【０１２０】
図１８を参照して、装置１８００は、プロセッサアセンブリ１８０２、メモリ１８０４、電源アセンブリ１８０６、マルチメディアアセンブリ１８０８、オーディオアセンブリ１８１０、入力／出力（Ｉ／Ｏ）インターフェイス１８１２、センサアセンブリ１８１４、及び通信アセンブリ１８１６のような一つ以上のアセンブリを含んでよい。
【０１２１】
プロセッサアセンブリ１８０２は、一般的には装置１８００の全体の操作を制御するものであり、例えば、表示、電話呼び出し、データ通信、カメラ操作、及び記録操作と関連する操作を制御する。プロセッサアセンブリ１８０２は、一つ以上のプロセッサ１８２０を含み、これらによって命令を実行することにより、上記の方法の全部、或は一部のステップを実現するようにしてもよい。なお、プロセッサアセンブリ１８０２は、一つ以上のモジュールを含み、これらによってプロセッサアセンブリ１８０２と他のアセンブリの間のインタラクションを容易にするようにしてもよい。例えば、プロセッサアセンブリ１８０２は、マルチメディアモジュールを含み、これらによってマルチメディアアセンブリ１８０８とプロセッサアセンブリ１８０２の間のインタラクションを容易にするようにしてもよい。
【０１２２】
メモリ１８０４は各種類のデータを記憶することにより装置１８００の操作を支援するように構成される。これらのデータの例は装置１８００において操作されるいずれのアプリケーションプログラム又は方法の命令、連絡対象データ、電話帳データ、メッセージ、画像、ビデオ等を含む。メモリ１８０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクである。
【０１２３】
電源アセンブリ１８０６は、装置１８００の多様なアセンブリに電力を供給する。電源アセンブリ１８０６は、電源管理システム、一つ以上の電源、及び装置１８００のための電力の生成、管理及び割り当てに関連する他のアセンブリを含んでもよい。
【０１２４】
マルチメディアアセンブリ１８０８は、前記装置１８００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ１８０８は、一つのフロントカメラ、及び／又はリアーカメラを含む。装置１８００が、例えば撮影モード、或はビデオモード等の操作モードにある場合、フロントカメラ、及び／又はリアーカメラは外部からマルチメディアデータを受信できる。フロントカメラとリアーカメラのそれぞれは、一つの固定型の光レンズ系、或は可変焦点距離と光学ズーム機能を有するものであってもよい。
【０１２５】
オーディオアセンブリ１８１０は、オーディオ信号をインターフェースするように構成されてもよい。例えば、オーディオアセンブリ１８１０は、一つのマイク（ＭＩＣ）を含み、装置１８００、例えば呼出しモード、記録モード、及び音声認識モード等の操作モードにある場合、マイクは外部のオーディオ信号を受信することができる。受信されたオーディオ信号は、さらにメモリ１８０４に記憶されたり、通信アセンブリ１８１６を介して送信されたりされる。上記の実施例において、オーディオアセンブリ１８１０は、オーディオ信号を出力するための一つのスピーカーをさらに含む。
【０１２６】
入力／出力（Ｉ／Ｏ）インターフェイス１８１２は、プロセッサアセンブリ１８０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１２７】
センサアセンブリ１８１４は、装置１８００に各方面の状態に対する評価を提供するための一つ以上のセンサを含む。例えば、センサアセンブリ１８１４は、装置１８００のＯＮ／ＯＦＦ状態、装置１８００のディスプレイとキーパッドのようなアセンブリの相対的な位置決めを検出できる。また、例えば、センサアセンブリ１８１４は、装置１８００、或は装置１８００の一つのアセンブリの位置変化、ユーザと装置１８００とが接触しているか否か、装置１８００の方位、又は加速／減速、装置１８００の温度の変化を検出できる。センサアセンブリ１８１４は、何れの物理的接触がない状態にて付近の物体の存在を検出するための近接センサを含んでもよい。センサアセンブリ１８１４は、撮影アプリケーションに適用するため、ＣＭＯＳ、又はＣＣＤ図像センサのような光センサを含んでもよい。上記の実施例において、当該センサアセンブリ１８１４は、加速度センサ、ジャイロスコープセンサ、磁気センサ、圧力センサ、及び温度センサをさらに含んでもよい。
【０１２８】
通信アセンブリ１８１６は、装置１８００と他の機器の間に有線、又は无線形態の通信を提供する。装置１８００は、例えばＷｉＦｉ、２Ｇ、３Ｇ、或はこれらの組み合わせのような、通信規格に基づいた无線ネットワークに接続されてもよい。一つの例示的な実施例において、通信アセンブリ１８１６は、放送チャンネルを介して外部の放送管理システムからの放送信号、又は放送に関連する情報を受信する。一つの例示的な実施例において、前記通信アセンブリ１８１６は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ）技術、他の技術に基づいて実現できる。
【０１２９】
例示的な実施例において、装置１８００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【０１３０】
例示的な実施例において、さらに、命令を含む不揮発的なコンピュータで読み取り可能な記憶媒体、例えば命令を含むメモリ１８０４を提供しており、装置１８００のプロセッサ１８２０により上記命令を実行して上記方法を実現する。例えば、前記不揮発的なコンピュータで読み取り可能な記憶媒体は、ＲＯＭ、ＲＡＭ（Ｒａｎｄｏｍ−Ａｃｃｅｓｓ  Ｍｅｍｏｒｙ）、ＣＤ−ＲＯＭ（Ｃｏｍｐａｃｔ  Ｄｉｓｃ  ＲＯＭ）、磁気テープ、フロッピーディスク、光データ記憶デバイス等である。
【０１３１】
不揮発的なコンピュータで読み取り可能な記憶媒体であって、前記記憶媒体における命令がモバイル端末のプロセッサにより実行される場合、モバイル端末が表示画像の調整方法を実行できる。前記方法は、
ディスプレースクリーンの前に位置するユーザとディスプレースクリーンとの距離をモニタリングするステップと、
前記ユーザとディスプレースクリーンとの距離が所定の閾値より小さいとモニタリングした場合、前記距離の大きさに基づいて前記ディスプレースクリーンにおける調整済みの画像のサイズを特定する、又は、ユーザにより予め設定されたパラメータに応じて、前記ディスプレースクリーンにおける調整済みの画像のサイズを調整するステップと、
前記調整済みのサイズに応じて、ディスプレースクリーンにおいて前記画像を表示するステップと、を含む。
【０１３２】
当業者は、本明細書に開示された発明の詳細を考慮し、実施することにより、本発明の他の実施方案を容易に想定することができる。本出願は、本発明のいかなる変形、用途、又は適応的な変化を含むことを目的としており、いかなる変形、用途、又は適応的な変化は、本発明の一般原理に基づいて、且つ本開示において公開されていない本技術分野においての公知常識又は慣用技術手段を含む。明細書及び実施例は、例示的なものを開示しており、本発明の保護範囲と主旨は、特許請求の範囲に記述される。
【０１３３】
本発明は、上記において開示された構成又は図面に示した構造に限定されるものではなく、本発明の範囲内であれば、様々な補正又は変更を行うことができる。本発明の範囲は、特許請求の範囲により制限される。 
【国際調査報告】
2018502531.tif 000021
2018502531.tif 000022
2018502531.tif 000023
2018502531.tif 000024